(57)【要約】【課題】  本発明は、多様なリプレイタイムの作動を行うことにより、遊技者が抱く期待感の向上を図ることが可能な遊技機を提供する。【解決手段】  本発明の遊技機は、遊技回数記憶手段は、当籤役決定手段により当籤役が決定され、且つ、遊技者の停止操作に基づいて、図柄停止制御手段が前記当籤役に係る図柄以外の図柄を図柄表示手段に表示した取りこぼし遊技の累積回数を記憶し、遊技制御手段は、遊技回数記憶手段に記憶された取りこぼし遊技の累積回数が各所定回数を上回ったことを条件として、遊技履歴記憶手段に記憶された履歴情報が所定の条件を満足した場合に、第２テーブルを使用する遊技モードに移行する制御を行うことを特徴とする。【選択図】          図２９
2009285066.tif 000002
【特許請求の範囲】
【請求項１】
遊技者による遊技の開始操作の検出を行う開始操作検出手段と、
前記開始操作検出手段により検出される開始操作に基づいて、複数の役から当籤役を決定するための乱数値を抽出する当籤役決定手段と、
前記複数の役と乱数の数値範囲を対応付けて格納する複数のテーブルを記憶するテーブル記憶手段と、
前記開始操作検出手段により検出される開始操作の検出に基づいて、複数種類の図柄を変動させて表示する図柄表示手段と、
遊技者による前記図柄の停止操作の検出を行う図柄停止操作検出手段と、
前記当籤役決定手段により決定された当籤役と前記停止操作検出手段により検出された停止操作に基づいて、前記図柄表示手段に図柄を停止して表示する図柄停止制御手段と、
遊技者の操作に基づいて実行された遊技の履歴情報を記憶する遊技履歴記憶手段と、
遊技者の操作に基づいて実行された遊技の回数を記憶する遊技回数記憶手段と、
前記各手段を制御して遊技を実行する遊技制御手段と、を備え、
前記テーブル記憶手段は、
前記遊技制御手段が実行する通常の遊技モードに使用される第１テーブルと、
前記履歴情報が所定の条件を満足した場合に使用される第２テーブルと、を記憶し、
前記遊技回数記憶手段は、
前記当籤役決定手段により当籤役が決定され、且つ、遊技者の停止操作に基づいて、前記図柄停止制御手段が前記当籤役に係る図柄以外の図柄を図柄表示手段に表示した取りこぼし遊技の累積回数を記憶し、
前記遊技制御手段は、
前記遊技回数記憶手段に記憶された取りこぼし遊技の累積回数が各所定回数を上回ったことを条件として、前記遊技履歴記憶手段に記憶された履歴情報が所定の条件を満足した場合に、前記第２テーブルを使用する遊技モードに移行する制御を行うことを特徴とする遊技機。
【請求項２】
前記当籤役決定手段により決定された当籤役を、遊技者に報知する当籤役報知手段を備え、
前記遊技制御手段は、前記当籤役報知手段により前記当籤役を遊技者に報知することを特徴とする請求項１に記載された遊技機。
【請求項３】
前記遊技制御手段は、
前記図柄停止操作検出手段により検出された停止コマに係る図柄が、前記当籤役決定手段により決定された当籤役に係る図柄と異なる場合に、前記停止コマと前記当籤役に係る図柄を表示するコマとの順序の差数が所定のコマ数以内であれば当籤役に係る図柄を図柄表示手段に表示する引き込み制御を行い、
前記遊技回数記憶手段は、前記引き込み制御に係らない停止コマの図柄が表示された取りこぼし遊技を累積して記憶することを特徴とする請求項１または２のいずれかに記載された遊技機。
【請求項４】
前記第２テーブルにおいて、前記複数の役に含まれる役であって再遊技に係るリプレイ役に対応する乱数値の範囲が、前記第1テーブルよりも広いことを特徴とする請求項１ないし３のいずれかに記載された遊技機。
【発明の詳細な説明】
【技術分野】
【０００１】
本発明は、パチスロ等の遊技機に関する。
【背景技術】
【０００２】
従来、複数の図柄が夫々の表面に配された複数のリールが並んで備えられ、メダルやコイン等（以下、「メダル等」という）が投入されたことを条件に、遊技者による操作（以下、「開始操作」という）を検出し、全てのリールの回転の開始を要求する信号を出力するスタートスイッチと、遊技者による操作（以下、「停止操作」という）をリールの種別に応じて検出し、該当するリールの回転の停止を要求する信号を出力するストップスイッチと、前記複数のリールの夫々に対応して複数備えられ、夫々の駆動力を各リールに伝達するステッピングモータと、前記スタートスイッチ及びストップスイッチにより出力された信号に基づいて、ステッピングモータの動作を制御し、各リールの回転及びその停止を行う制御部と、を備えた回胴式遊技機が知られている。通常、このような遊技機では、全てのリールの回転の停止が行われると、当該複数のリールによって、予め定められた図柄の組合せが遊技者に対して表示されているか否かが判別され、この予め定められた図柄の組合せが表示されていると判別されると、いわゆる入賞が成立し、メダル等が払い出される（例えば、特許文献１参照）。
【０００３】
このような遊技機における現在の主流は、遊技者による開始操作を検出すると、乱数を用いた抽籤を行う。例えば、数値の範囲を複数規定した内部抽籤テーブルを備え、遊技者による開始操作を検出したタイミングにて抽出した乱数値が属する数値の範囲を検索することにより抽籤を行うようにしている。そして、この抽籤の結果（以下、「内部当籤役」という）と、遊技者による停止操作を検出したタイミングとに基づいて、リールの回転の停止を行うものである。このとき、乱数を用いた抽籤の結果、入賞に係る内部当籤役が決定されると、当該内部当籤役に係る図柄の組合せが表示されるように、停止操作の検出が行われた後であってもリールの回転が所定の期間（例えば、１９０ｍｓｅｃ）以内で継続し、その後、停止するようになっている。
【０００４】
また、上記のような遊技機では、遊技の健全性を維持することなどを目的として、特定の図柄の組合せが表示されると、今回投入されたメダルと同数のメダルが次回において自動的に投入される再遊技の作動を行うようにしたものが主流となっている。
【０００５】
そして、近時では、前記特定の図柄の組合せに係る内部当籤役（以下、「リプレイ」という）が決定される数値の範囲が相対的に大きい内部抽籤テーブルを設け、この内部抽籤テーブルが選択されて内部当籤役が決定される状態（これを「リプレイタイム」という）の作動を行うようにした遊技機が提案されている（例えば、特許文献２参照）。この遊技機によれば、リプレイが相対的に高い確率にて決定されるようになるので、再遊技の作動が行われる機会が増加することから、遊技機に投入するメダルの消費を極力抑えながら、ボーナスゲームの作動に係る内部当籤役などの決定を待つことが可能となり、遊技者にとって有利となる。
【０００６】
また、このような遊技機において、遊技数が所定の遊技数に達している場合であって、リプレイタイムへ移行する当籤役が決定されたときには、遊技情報が報知され、遊技情報を参考にして停止操作を行うことにより、リプレイタイムに移行させる遊技機が提案されている（例えば、特許文献３）。また、遊技数が所定の遊技数に達している場合には、リプレイタイムへ移行する当籤役が規定されている内部抽籤テーブルを用いて抽籤を行うことにより、リプレイタイムに移行させる遊技機が提案されている（例えば、特許文献４）。この遊技機によれば、不利な遊技状態が長時間継続する可能性を低下させることができ、遊技者は安心して遊技に集中することができる。
【０００７】
【特許文献１】特公平３−７２３１３号公報
【特許文献２】特開２００２−３１５８６７号公報
【特許文献３】特開２００８−７９７７８号公報
【特許文献４】特開２００８−７９７７９号公報
【発明の開示】
【発明が解決しようとする課題】
【０００８】
しかしながら、上記従来の遊技機では、規定の遊技回数が行われることによってリプレイタイムの作動が終了される構成が採られており、リプレイタイムの作動が開始するタイミングや、その作動が継続する期間などが一様であり、リプレイタイムの作動のパターンが単調となり、遊技者が抱く期待感に起伏が欠け、興趣の低下を招いてしまうという問題があった。
【０００９】
そこで、本発明は、多様なリプレイタイムの作動を行うことにより、遊技者が抱く期待感の向上を図ることが可能な遊技機を提供することを目的とする。
【課題を解決するための手段】
【００１０】
本発明の遊技機は、以下のような遊技機を提供する。
【００１１】
本発明の遊技機は、遊技者による遊技の開始操作の検出を行う開始操作検出手段（例えば、後述のスタートスイッチ６Ｓ、）と、開始操作検出手段により検出される開始操作に基づいて、複数の役から当籤役を決定するための乱数値を抽出する当籤役決定手段（例えば、後述の図２４のステップＳ５の処理、後述の主制御回路７１）と、複数の役と乱数の数値範囲を対応付けて格納する複数のテーブルを記憶するテーブル記憶手段（例えば、後述のメインＲＯＭ（Ｒｅａｄ  Ｏｎｌｙ  Ｍｅｍｏｒｙ）３２）と、開始操作検出手段により検出される開始操作の検出に基づいて、複数種類の図柄を変動させて表示する図柄表示手段（例えば、後述のリール３Ｌ、３Ｃ、３Ｒ）と、遊技者の操作に基づいて実行された遊技の履歴情報を記憶する遊技履歴記憶手段（例えば、後述のメインＲＡＭ（Ｒａｎｄｏｍ  Ａｃｃｅｓｓ  Ｍｅｍｏｒｙ）３３）と、遊技者による図柄の停止操作の検出を行う図柄停止操作検出手段（例えば、後述のストップスイッチ７Ｓ）と、当籤役決定手段により決定された当籤役と停止操作検出手段により検出された停止操作に基づいて、図柄表示手段に図柄を停止して表示する図柄停止制御手段（例えば、後述の図２４のステップＳ９の処理、後述の主制御回路７１）と、遊技者の操作に基づいて実行された遊技の回数を記憶する遊技回数記憶手段（例えば、後述のメインＲＡＭ３３）と、各手段を制御して遊技を実行する遊技制御手段（例えば、後述の主制御回路７１）と、を備え、テーブル記憶手段は、遊技制御手段が実行する通常の遊技モードに使用される第１テーブル（例えば、後述の一般遊技状態用内部抽籤テーブル）と、前記履歴情報が所定の条件を満足した場合に使用される第２テーブル（例えば、後述のＲＴ２作動中用内部抽籤テーブル）と、を記憶し、遊技回数記憶手段は、当籤役決定手段により当籤役が決定され、且つ、遊技者の停止操作に基づいて、図柄停止制御手段が当籤役に係る図柄以外の図柄を図柄表示手段に表示した取りこぼし遊技の累積回数を記憶し、遊技制御手段は、遊技回数記憶手段に記憶された取りこぼし遊技の累積回数が各所定回数を上回ったことを条件として、遊技履歴記憶手段に記憶された履歴情報が所定の条件を満足した場合に、第２テーブルを使用する遊技モードに移行する制御を行うことを特徴とする。
【００１２】
この遊技機によれば、通常の遊技モードの遊技回数と、取りこぼし遊技の累積回数に基づいて、リプレイタイムを作動することができるので、例えば、通常の遊技モード中に小役を取りこぼすことにより、取りこぼし遊技の累積回数を記憶し、通常の遊技モード中の遊技の回数が所定回数を超えた場合に、通常の遊技モード中に小役の取りこぼし回数が所定回数を上回ったことを契機にリプレイタイムを作動することができるので、多様なリプレイタイムの作動を行うことにより、遊技者が抱く期待感の向上を図ることが可能な遊技機を提供することができる。
【００１３】
また、通常の遊技モード中に目押しに失敗して小役を取りこぼした場合でも、小役の取りこぼし回数が所定回数を上回ったことを契機にリプレイタイムを作動することができるので、目押しの苦手な遊技者でも安心して遊技に集中することができる。
【００１４】
本発明の遊技機は、当籤役決定手段により決定された当籤役を、遊技者に報知する当籤役報知手段（例えば、後述の液晶表示装置５、副制御回路７２）を備え、遊技制御手段は、当籤役報知手段により当籤役を遊技者に報知することを特徴とする。
【００１５】
この遊技機によれば、決定された当籤役を報知することができ、通常の遊技モードの遊技回数と、取りこぼし遊技の累積回数に基づいて、リプレイタイムを作動することができるので、例えば、通常の遊技モード中に、報知された小役を停止操作により取りこぼすことにより、取りこぼし遊技の累積回数を記憶し、通常の遊技モード中の遊技の累積回数が所定回数を超えた場合に、通常の遊技モード中に小役の取りこぼし回数が所定回数を上回ったことを契機にリプレイタイムを作動することができるので、多様なリプレイタイムの作動を行うことにより、遊技者が抱く期待感の向上を図ることが可能な遊技機を提供することができる。
【００１６】
本発明の遊技機は、遊技制御手段は、図柄停止操作検出手段により検出された停止コマに係る図柄が、当籤役決定手段により決定された当籤役に係る図柄と異なる場合に、停止コマと当籤役に係る図柄を表示するコマとの順序の差数が所定のコマ数以内であれば当籤役に係る図柄を図柄表示手段に表示する引き込み制御を行い、遊技回数記憶手段は、引き込み制御に係らない停止コマの図柄が表示された取りこぼし遊技を累積して記憶することを特徴とする。
【００１７】
この遊技機によれば、引き込み制御に係らない図柄が表示された場合の取りこぼし遊技の累積回数を記憶し、通常の遊技モードの遊技回数と、取りこぼし遊技の累積回数に基づいて、リプレイタイムを作動することができるので、例えば、通常の遊技モード中に「スイカ」や「チェリー」の小役の取りこぼすことにより、取りこぼし遊技の累積回数を記憶し、通常の遊技モード中の遊技の累積回数が所定回数を超えた場合に、通常の遊技モード中に小役の取りこぼし回数が所定回数を上回ったことを契機にリプレイタイムを作動することができるので、多様なリプレイタイムの作動を行うことにより、遊技者が抱く期待感の向上を図ることが可能な遊技機を提供することができる。
【００１８】
本発明の遊技機は、第２テーブルにおいて、複数の役に含まれる役であって再遊技に係るリプレイ役に対応する乱数値の範囲が、第1テーブルよりも広いことを特徴とする。
【００１９】
この遊技機によれば、遊技履歴情報が所定の条件を満足した場合に使用する第２テーブルは、リプレイ役に対応する乱数値の範囲が、第１テーブルより広く設定されているので、第２テーブルを使用するリプレイタイムへの期待感の向上を図ることが可能な遊技機を提供することができる。
【発明の効果】
【００２０】
本発明の遊技機によれば、多様なリプレイタイムの作動を行うことにより、遊技者が抱く期待感の向上を図ることが可能な遊技機を提供することができる。
【発明を実施するための最良の形態】
【００２１】
＜パチスロの機能フロー＞
本発明の遊技機に係る実施の形態について、以下図面を参照しながら説明する。はじめに、図１を参照して、本実施の形態における遊技機（以下、パチスロ）の機能フローについて説明する。
【００２２】
遊技者によりメダルが投入され、スタートレバー６が操作されると、予め定められた数値の範囲（例えば、０〜６５５３５）の乱数から１つの値（以下、乱数値）が抽出される。
【００２３】
内部抽籤手段１０１は、抽出された乱数値に基づいて抽籤を行い、内部当籤役を決定する。内部当籤役の決定により、後述の入賞判定ライン８ａ〜８ｅに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２４】
続いて、複数のリール３Ｌ、３Ｃ、３Ｒの回転が行われた後で、遊技者によりストップボタン７Ｌ、７Ｃ、７Ｒが押されると、リール停止制御手段１０２は、内部当籤役とストップボタン７Ｌ、７Ｃ、７Ｒが押されたタイミングとに基づいて、該当するリール３Ｌ、３Ｃ、３Ｒの回転を停止する制御を行う。
【００２５】
ここで、パチスロ１では、基本的に、ストップボタン７Ｌ、７Ｃ、７Ｒが押されたときから規定時間（１９０ｍｓｅｃ）内に、該当するリール３Ｌ、３Ｃ、３Ｒの回転を停止する制御が行われる。本実施の形態では、上記規定時間内でのリール３Ｌ、３Ｃ、３Ｒの回転に伴って移動する図柄の数を「滑り駒数」と呼び、その最大数を図柄４個分に定める。
【００２６】
リール停止制御手段１０２は、入賞に係る図柄の組合せの表示を許可する内部当籤役が決定されているときでは、上記規定時間を利用して、その図柄の組合せが入賞判定ライン８ａ〜８ｅに沿って極力表示されるようにリール３Ｌ、３Ｃ、３Ｒの回転を停止する。その一方で、内部当籤役によってその表示が許可されていない図柄の組合せについては、上記規定時間を利用して、入賞判定ライン８ａ〜８ｅに沿って表示されることがないようにリール３Ｌ、３Ｃ、３Ｒの回転を停止する。
【００２７】
こうして、複数のリール３Ｌ、３Ｃ、３Ｒの回転がすべて停止されると、入賞判定手段１０３は、入賞判定ライン８ａ〜８ｅに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００２８】
また、パチスロ１では、前述した一連の流れの中で、液晶表示装置５により行う映像の表示、各種ランプ２９により行う光の出力、スピーカ２１Ｌ、２１Ｒにより行う音の出力、或いはこれらの組合せを利用して様々な演出が行われる。本発明の実施形態では、液晶表示装置５に行う映像の表示は、決定された当籤役に係る図柄が停止表示されるようにナビゲーションをするナビゲーション画像が含まれる。
【００２９】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段１０４は、内部当籤役に対応づけられた複数種類の演出内容の中から今回実行するものを抽籤により決定する。
【００３０】
演出内容が決定されると、演出実行手段１０５は、リール３Ｌ、３Ｃ、３Ｒの回転が開始されるとき、各リール３Ｌ、３Ｃ、３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００３１】
本発明に係るパチスロは、さらに次の特徴を備える。
【００３２】
遊技者の操作に基づいて実行された遊技の履歴情報を記憶する遊技履歴記憶手段を備える。遊技履歴記憶手段は、後述する主制御回路７１のメインＲＡＭ３３の記憶領域に設けられている（図４参照）。ここで、履歴情報とは、例えば、通常の遊技モード（一般遊技状態）における遊技回数（例えば、２００回）、または、遊技者が獲得したメダル等の遊技価値と投入した遊技価値の差数である。
【００３３】
テーブル記憶手段には、一般遊技状態において内部抽籤に使用される第１テーブルと、所定の条件を満足した場合に使用される第２のテーブルが記憶されている。すなわち、第２テーブルを使用して行われる遊技状態は、リプレイが内部当籤役となる確率が高い、いわゆる天井リプレイタイム（ＲＴ２）である。第２テーブルは、遊技者が一般遊技状態に比べて有利な状態で遊技をすることができるように設定されている。例えば、リプレイ役に対応する乱数値の数値範囲を第１テーブルより広く設定するリプレイタイム（ＲＴ）であっても良いし、遊技価値が払出される役が内部当籤役となる確率が高い、所謂ボーナスモードであっても良い。テーブル記憶手段は、後述する主制御回路７１のメインＲＯＭ３２の記憶領域に設けられている（図４参照）。
【００３４】
また、履歴情報の所定の条件とは、例えば、一般遊技状態おいて、ボーナスを獲得することなく、遊技者が所定回数の遊技を実行したこと、または、遊技者の投入した遊技価値と獲得した遊技価値の差数の累積が所定量を上回ったことである。すなわち、遊技者が消費した遊技価値が予め想定する量を超えた場合に、遊技者が有利な状態で遊技できる遊技状態へ移行させて、遊技価値の一部を還元するために設定された条件である。
【００３５】
さらに、本発明に係るパチスロ１においては、上記の第２テーブルを使用する遊技状態へ移行する際に、決定された当籤役に係る図柄以外の図柄をリール３Ｌ、３Ｃ、３Ｒに表示した所謂、取りこぼし遊技の累積回数が所定回数（例えば、３０回）を上回ったことを条件とする。すなわち、遊技価値の還元を受けるための条件として、履歴情報だけでなく、獲得できる有利な状態を、一旦、放棄することを必要としたのである。これにより、遊技の進行において遊技者の判断要素が付加され、遊技の趣向の向上を図ることができる。
【００３６】
本発明に係るパチスロ１においては、一般遊技状態中に、遊技者が、リール３Ｌ、３Ｃ、３Ｒに決定された内部当籤役に係る図柄が停止表示されるように停止操作を行い、決定された内部当籤に係る図柄以外が停止表示されたことにより取りこぼした遊技の累積回数が所定回数を下回った場合に、ボーナスゲーム後のチャンスゾーンからリプレイタイム（ＲＴ１）に移行する制御を行う。これに対し、遊技者が、リール３Ｌ、３Ｃ、３Ｒに決定された内部当籤役に係る図柄が停止表示されないように停止操作を行い、決定された内部当籤に係る図柄以外が停止表示されることにより取りこぼした遊技の累積回数が所定回数を上回ったことを前提条件として、遊技履歴記憶手段に記憶された履歴情報が所定の条件を満足した場合に、第３テーブルを使用する遊技状態に移行する制御を行う。
【００３７】
パチスロの機能フローについての説明は以上である。次に、図２及び図３を参照して、本実施の形態におけるパチスロの構造について説明する。
【００３８】
＜パチスロの外部構造＞
図２は、本実施の形態におけるパチスロの外部構造を示す。
【００３９】
パチスロ１は、リールや回路基板等を収容するキャビネット１ａと、キャビネット１ａに対して開閉可能に取り付けられるフロントドア１ｂとを備える。キャビネット１ａの内部には、３つのリール３Ｌ、３Ｃ、３Ｒが横並びに設けられている。各リール３Ｌ、３Ｃ、３Ｒは、円筒状のフレームの周面に、複数の図柄（例えば２１個）が回転方向に沿って連続的に配された帯状のシートを貼り付けて構成されている。本発明の実施形態では、リール３Ｌ、３Ｃ、３Ｒは、開始操作の検出に基づいて、複数種類の図柄を変動させて表示する図柄表示手段として機能する。
【００４０】
フロントドア１ｂの中央には、液晶表示装置５が設けられている。液晶表示装置５は、図柄表示領域４Ｌ、４Ｃ、４Ｒを含む表示画面２３を備え、正面から見て３つのリール３Ｌ、３Ｃ、３Ｒに重畳する手前側に位置するように設けられている。図柄表示領域４Ｌ、４Ｃ、４Ｒは、３つのリール３Ｌ、３Ｃ、３Ｒのそれぞれに対応して設けられており、その背後に設けられたリール３Ｌ、３Ｃ、３Ｒを透過することが可能な構成を備えている。
【００４１】
つまり、図柄表示領域４Ｌ、４Ｃ、４Ｒは、表示窓としての機能を果たすものであり、その背後に設けられたリール３Ｌ、３Ｃ、３Ｒの回転及びその停止の動作が遊技者側から視認可能となる。また、本実施の形態では、図柄表示領域４Ｌ、４Ｃ、４Ｒを含めた表示画面２３の全体を使って、映像の表示が行われ、演出が実行される。
【００４２】
図柄表示領域４Ｌ、４Ｃ、４Ｒ（以下、表示窓）は、その背後に設けられたリール３Ｌ、３Ｃ、３Ｒの回転が停止されたとき、リール３Ｌ、３Ｃ、３Ｒの表面に配された複数種類の図柄のうち、その枠内における上段、中段及び下段の各領域にそれぞれ１個の図柄（合計で３個）を表示する。また、各表示窓４Ｌ、４Ｃ、４Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００４３】
本実施の実施形態では、各表示窓の上段を組合せてなるトップライン８ａ、各表示窓の中段を組合せてなるセンターライン８ｂ、各表示窓の下段を組合せてなるボトムライン８ｃ、左表示窓の上段、中表示窓の中段及び右表示窓の下段を組合せてなるクロスダウンライン８ｄ、左表示窓の下段、中表示窓の中段及び右表示窓の上段を組合せてなるクロスアップライン８ｅの５つを入賞判定ラインとして設けている。
【００４４】
フロントドア１ｂには、遊技者による操作の対象となる各種装置が設けられている。メダル投入口２２は、遊技者によって外部から投下されるメダルを受け入れるために設けられる。メダル投入口２２に受け入れられたメダルは、所定枚数（例えば３枚）を上限として１回の遊技に投入されることとなり、所定枚数を超えた分はパチスロ内部に預けることが可能となる（いわゆるクレジット機能）。
【００４５】
ベットボタン１２は、パチスロ内部に預けられているメダルから１回の遊技に投入する枚数を決定するために設けられる。精算ボタン１４は、パチスロ内部に預けられているメダルを外部に引き出すために設けられる。
【００４６】
スタートレバー６は、全てのリール３Ｌ、３Ｃ、３Ｒの回転を開始するために設けられる。ストップボタン７Ｌ、７Ｃ、７Ｒは、３つのリール３Ｌ、３Ｃ、３Ｒのそれぞれに対応づけられ、対応するリール３Ｌ、３Ｃ、３Ｒの回転を停止するために設けられる。
【００４７】
７セグ表示器１８は、７セグメントＬＥＤからなり、今回の遊技に投入されたメダルの枚数（以下、投入枚数）、特典として遊技者に対して払い出すメダルの枚数（以下、払出枚数）、パチスロ内部に預けられているメダルの枚数（以下、クレジット枚数）等の情報を遊技者に対してデジタル表示する。
【００４８】
ランプ２９（ＬＥＤ等）は、演出内容に応じた点消灯のパターンにて光を出力する。スピーカ２１Ｌ、２１Ｒは、演出内容に応じた効果音や楽曲等の音を出力する。メダル払出口１５は、後述のメダル払出装置４０の駆動により排出されるメダルを外部に導く。メダル払出口１５から排出されたメダルは、メダル受皿１６に貯められる。
【００４９】
＜パチスロの内部構造＞
図３は、本実施の形態におけるパチスロ１の内部構造を示す。フロントドア１ｂが開放され、フロントドア１ｂの裏面側の構造及びキャビネット１ａ内部の構造が現れた状態が示されている。
【００５０】
キャビネット２内部の上方には、主制御回路７１を構成する基板（以下、主基板）が設けられている。主制御回路７１は、内部当籤役の決定、リール３Ｌ、３Ｃ、３Ｒの回転及び停止、入賞の有無の判定といった、パチスロ１における遊技の主な流れを制御する回路である。主制御回路７１の具体的な構成は後述する。
【００５１】
キャビネット１ａ内部の中央には、３つのリール３Ｌ、３Ｃ、３Ｒが設けられている。各リール３Ｌ、３Ｃ、３Ｒのそれぞれには、所定の減速比をもったギアを介して後述のステッピングモータ４９Ｌ、４９Ｃ、４９Ｒが接続されている。
【００５２】
３つのリール３Ｌ、３Ｃ、３Ｒの左側には、副制御回路７２を構成する基板（以下、副基板）が設けられている。副制御回路７２は、映像の表示等による演出の実行を制御する回路である。副制御回路７２の具体的な構成は後述する。
【００５３】
キャビネット１ａ内部の下方には、多量のメダルを収容可能で、それらを１枚ずつ排出可能な構造を有するメダル払出装置４０（以下、ホッパー）が設けられている。ホッパー４０の左側には、パチスロが有する各装置に対して必要な電力を供給するための電源装置２５が設けられている。
【００５４】
フロントドア１ｂ裏側の中央、表示窓４Ｌ、４Ｃ、４Ｒ、の下方には、セレクタ２６が設けられている。セレクタ２６は、材質や形状等が適正であるメダルか否かを選別する装置であり、メダル投入口２２に受け入れられた適正なメダルをホッパー４０へ案内する。尚、セレクタ２６内においてメダルが通過する経路上には、後述のメダルセンサ２２Ｓが設けられており、適正なメダルが通過したことを検出する。
【００５５】
パチスロ１の構造についての説明は以上である。次に、図４及び図５を参照して、本実施の形態におけるパチスロ１が備える回路の構成について説明する。本実施の形態におけるパチスロは、主制御回路７１、副制御回路７２及びこれらと電気的に接続する周辺装置（アクチュエータ）を備える。
【００５６】
＜主制御回路＞
図４は、本実施の形態におけるパチスロ１の主制御回路７１の構成を示す。
【００５７】
主制御回路７１は、回路基板上に設置されたマイクロコンピュータ３０を主たる構成要素としている。マイクロコンピュータ３０は、ＣＰＵ（Ｃｅｎｔｒａｌ  Ｐｒｏｃｅｓｓｉｎｇ  Ｕｎｉｔ）３１（以下、メインＣＰＵ）、ＲＯＭ（Ｒｅａｄ  Ｏｎｌｙ  Ｍｅｍｏｒｙ）３２（以下、メインＲＯＭ）及びＲＡＭ（Ｒａｎｄｏｍ  Ａｃｃｅｓｓ  Ｍｅｍｏｒｙ）３３（以下、メインＲＡＭ）により構成される。本発明の実施形態では、主制御回路７１は、各手段を制御して遊技を実行する遊技制御手段として機能する。
【００５８】
メインＲＯＭ３２には、メインＣＰＵ３１により実行される制御プログラム、内部抽籤テーブル等のデータテーブル、副制御回路７２に対して各種制御指令（コマンド）を送信するためのデータ等が記憶されている。本発明の実施形態では、メインＲＯＭ３２は、複数の役と乱数の数値範囲を対応付けて格納する複数のテーブルを記憶するテーブル記憶手段として機能する。具体的には、メインＲＯＭ３２には、一般遊技状態に使用される第１テーブルと、再遊技に係る「リプレイ」の数値範囲を、第１テーブルより広く設定し、天井リプレイタイム（ＲＴ２）に使用される第２テーブルとが記憶されている。
【００５９】
また、メインＲＡＭ３３には、制御プログラムの実行により決定された内部当籤役等の各種データを格納する格納領域が設けられる。本発明の実施形態では、メインＲＡＭ３３は、遊技者の操作に基づいて実行された遊技の履歴情報を記憶する遊技履歴記憶手段として、遊技者の操作に基づいて実行された遊技の回数を記憶する遊技回数記憶手段として機能する。遊技の履歴情報は、ボーナスを獲得することなく、一般遊技状態における遊技回数、又は、遊技者が獲得したメダル等の遊技価値と投入した遊技価値の差数をいう。
【００６０】
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００６１】
マイクロコンピュータ３０の入力ポートには、スイッチ等が接続されている。メインＣＰＵ３１は、スイッチ等の入力を受けて、ステッピングモータ４９Ｌ、４９Ｃ、４９Ｒ等の周辺装置の動作を制御する。ストップスイッチ７Ｓは、３つのストップボタン７Ｌ、７Ｃ、７Ｒのそれぞれが遊技者により押されたこと（停止操作）を検出する。本発明の実施形態では、ストップスイッチ７Ｓは、遊技者による図柄の停止操作の検出を行う図柄停止操作検出手段として機能する。
【００６２】
また、スタートスイッチ６Ｓは、スタートレバー６が遊技者により操作されたこと（開始操作）を検出する。本発明の実施形態では、スタートスイッチ６Ｓは、遊技による遊技の開始操作の検出を行う開始操作検出手段として機能する。
【００６３】
メダルセンサ２２Ｓは、メダル投入口２２に受け入れられたメダルが前述のセレクタ２６内を通過したことを検出する。また、ベットスイッチ１２Ｓは、ベットボタン１２が遊技者により押されたことを検出する。また、精算スイッチ１４Ｓは、精算ボタン１４が遊技者により押されたことを検出する。
【００６４】
マイクロコンピュータ３０により動作が制御される周辺装置としては、ステッピングモータ４９Ｌ、４９Ｃ、４９Ｒ、７セグ表示器１８及びホッパー４０がある。また、マイクロコンピュータ３０の出力ポートには、各周辺装置の動作を制御するための回路が接続されている。
【００６５】
モータ駆動回路３９は、各リール３Ｌ、３Ｃ、３Ｒに対応して設けられたステッピングモータ４９Ｌ、４９Ｃ、４９Ｒの駆動を制御する。リール位置検出回路５０は、発光部と受光部とを有する光センサにより、リール３Ｌ、３Ｃ、３Ｒが一回転したことを示すリールインデックスを各リール３Ｌ、３Ｃ、３Ｒに応じて検出する。
【００６６】
ステッピングモータ４９Ｌ、４９Ｃ、４９Ｒは、運動量がパルスの出力数に比例し、回転軸を指定された角度で停止させることが可能な構成を備えている。ステッピングモータ４９Ｌ、４９Ｃ、４９Ｒの駆動力は、所定の減速比をもったギアを介してリール３Ｌ、３Ｃ、３Ｒに伝達される。ステッピングモータ４９Ｌ、４９Ｃ、４９Ｒに対して１回のパルスが出力されるごとに、リール３Ｌ、３Ｃ、３Ｒは一定の角度で回転する。
【００６７】
メインＣＰＵ３１は、リールインデックスを検出してからステッピングモータ４９Ｌ、４９Ｃ、４９Ｒに対してパルスを出力した回数をカウントすることによって、リール３Ｌ、３Ｃ、３Ｒの回転角度（主に、リールが図柄何個分だけ回転したか）を管理し、リール３Ｌ、３Ｃ、３Ｒの表面に配された各図柄の位置を管理するようにしている。
【００６８】
表示部駆動回路４８は、７セグ表示器１８の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００６９】
図５は、本実施の形態におけるパチスロ１の副制御回路の構成を示す。
【００７０】
副制御回路７２は、主制御回路７１と電気的に接続されており、主制御回路７１から送信されるコマンドに基づいて演出内容の決定や実行等の処理を行う。副制御回路７２は、基本的に、ＣＰＵ８１（以下、サブＣＰＵ）、ＲＯＭ８２（以下、サブＲＯＭ）、ＲＡＭ８３（以下、サブＲＡＭ）、レンダリングプロセッサ８４、描画用ＲＡＭ８５、ドライバ８７、ＤＳＰ８８（デジタルシグナルプロセッサ）、オーディオＲＡＭ８９及びＡ／Ｄ変換器９０及びアンプ９１を含んで構成されている。
【００７１】
サブＣＰＵ８１は、主制御回路７１から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００７２】
プログラム記憶領域には、サブＣＰＵ８１が実行する制御プログラムが記憶されている。例えば、制御プログラムには、主制御回路７１との通信を制御するための主基板通信タスクや、演出用乱数値を抽出し、演出内容（演出データ）の決定及び登録を行うための演出登録タスク、決定した演出内容に基づいて液晶表示装置５による映像の表示を制御する描画制御タスク、ランプ２９による光の出力を制御するランプ制御タスク、スピーカ２１Ｌ、２１Ｒによる音の出力を制御する音声制御タスク等が含まれる。
【００７３】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００７４】
また、副制御回路７２には、その動作が制御される周辺装置として、液晶表示装置５、スピーカ２１Ｌ、２１Ｒ及びランプ２９が接続されている。本発明の実施形態では、液晶表示装置５は、決定された当籤役を、遊技者に報知する当籤役報知手段として機能する。
【００７５】
サブＣＰＵ８１、レンダリングプロセッサ８４、描画用ＲＡＭ８５（フレームバッファ８６を含む）及びドライバ８７は、演出内容により指定されたアニメーションデータに従って映像を作成し、作成した映像を液晶表示装置５により表示する。
【００７６】
また、サブＣＰＵ８１、ＤＳＰ８８、オーディオＲＡＭ８９、Ａ／Ｄ変換器９０及びアンプ９１は、演出内容により指定されたサウンドデータに従ってＢＧＭ等の音をスピーカ２１Ｌ、２１Ｒにより出力する。また、サブＣＰＵ８１は、演出内容により指定されたランプデータに従ってランプ２９の点灯及び消灯を行う。
【００７７】
パチスロが備える回路の構成についての説明は以上である。次に、図６〜図１２を参照して、メインＲＯＭ３２に記憶されている各種データテーブルの構成について説明する。
【００７８】
＜メインＲＯＭに記憶されているデータテーブルの構成＞
図６を参照して、図柄配置テーブルについて説明する。図柄配置テーブルは、各リール３Ｌ、３Ｃ、３Ｒの回転方向における各図柄の位置と、各位置に配された図柄の種類を特定するデータ（以下、図柄コード）とを規定している。
【００７９】
図柄配置テーブルは、リールインデックスが検出されるときに表示窓内の中段に存在する図柄の位置を「０」として、リール３Ｌ、３Ｃ、３Ｒの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓の中段に存在する図柄の位置及びその図柄の種類を常に管理することが可能となっている。
【００８０】
図７を参照して、図柄組合せテーブルについて説明する。本実施の形態では、入賞判定ラインに沿って各リール３Ｌ、３Ｃ、３Ｒにより表示される図柄の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。
【００８１】
図柄組合せテーブルは、特典の種類に応じて予め定められた図柄の組合せと、表示役と、払出枚数とを規定している。表示役は、入賞判定ラインに沿って表示された図柄の組合せを識別するデータである。
【００８２】
表示役は、各ビットに対して固有の図柄の組合せが割り当てられた１バイトのデータとして表される。例えば、各リールの図柄「ベル」が入賞判定ラインに沿って表示されたとき、表示役として「ベル（００００００１０）」が決定される。
【００８３】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【００８４】
また、表示役としてリプレイが決定されたとき、再遊技の作動が行われる。表示役としてＢＢが決定されたとき、ボーナスの作動が行われる。尚、入賞判定ライン８ａ〜８ｅに沿って表示された図柄の組合せが、図柄組合せテーブルにより規定されている図柄の組合せの何れとも一致しない場合には、いわゆる「ハズレ」となる。
【００８５】
図８を参照して、ボーナス作動時テーブルについて説明する。ボーナス作動時テーブルは、ボーナスの作動が行われるときに、メインＲＡＭ３３に設けられた各種格納領域に格納するデータを規定している。
【００８６】
作動中フラグは、作動が行われるボーナスの種類を識別するためのデータである。本実施の形態では、ボーナスの種類としてＢＢ（第１種特別役物に係る役物連続作動装置）及びＲＢ（第１種特別役物）を設けている。ＲＢの作動は、ＢＢの作動が行われている間、連続的に行われる。また、メインＲＡＭ３３に設けられた各種格納領域に格納するデータには、リプレイタイム（ＲＴ１）、天井リプレイタイム（ＲＴ２）チャンスゾーンの作動時テーブル（図示せず）が規定されている。
【００８７】
ＢＢの作動は、規定枚数に達するメダルの払い出しが行われた場合に終了する。ＲＢの作動は、規定回数に達する遊技が行われた場合、規定回数に達する入賞が有った場合、又は、ＢＢの作動が終了した場合の何れかによって終了する。ボーナス終了枚数カウンタ、遊技可能回数カウンタ及び入賞可能回数カウンタは、ボーナスの終了契機となる上記規定枚数或いは上記規定回数に達したか否かを管理するためのデータである。
【００８８】
より具体的には、ボーナス作動時テーブルにより規定されている数値が上記各カウンタに格納され、ボーナスの作動を通じてその減算が行われていく。その結果、各カウンタの値が「０」に更新されたことを条件に該当ボーナスの作動が終了する。
【００８９】
図９〜図１１を参照して、内部抽籤テーブルについて説明する。内部抽籤テーブルは、当籤番号に応じて、データポインタと抽籤値とを規定している。データポインタは、内部抽籤テーブルを参照して行う抽籤の結果として取得されるデータであり、後述の内部当籤役決定テーブルにより規定されている内部当籤役を指定するためのデータである。データポインタには、小役・リプレイ用データポインタ及びボーナス用データポインタが設けられている。
【００９０】
本実施の形態では、予め定められた数値の範囲「０〜６５５３５」から抽出される乱数値を、各当籤番号に応じた抽籤値で順次減算し、減算の結果が負となったか否か（いわゆる「桁かり」が生じたか否か）の判定を行うことによって内部的な抽籤が行われる。
【００９１】
したがって、抽籤値として規定されている数値が大きいほど、これが割り当てられたデータ（つまり、データポインタ）が決定される確率が高い。尚、各当籤番号の当籤確率は、「各当籤番号に対応する抽籤値／抽出される可能性のある全ての乱数値の個数（６５５３６）」によって表すことができる。
【００９２】
図９は、一般遊技状態用内部抽籤テーブルを示す。図１０は、ＲＴ１作動中用内部抽籤テーブルを示す。図１１は、ＲＴ２作動中用内部抽籤テーブルを示す。図９に示す一般遊技状態用内部抽籤テーブルは、一般遊技状態中に使用されるテーブルである。図１０に示すＲＴ１作動中用内部当籤テーブルは、遊技者の操作に基づいて、当籤役に係る図柄以外の図柄を停止表示した取りこぼし遊技の累積回数が所定回数を下回ったことを条件として、ボーナスゲーム後のチャンスゾーン中に、「リプレイ」が停止表示された場合に移行するリプレイタイム（ＲＴ１）中に使用されるテーブルである。ＲＴ１作動中用内部抽籤テーブルは、再遊技に係る「リプレイ」の数値範囲が、一般遊技状態用内部抽籤テーブルより広く規定されている。
【００９３】
また、図１１に示すＲＴ２作動中用内部抽籤テーブルは、遊技者の操作に基づいて、当籤役に係る図柄以外の図柄を停止表示した取りこぼし遊技の累積回数が所定回数を上回ったことを条件として、チャンスゾーンの遊技回数が所定回数以上の場合に移行する天井リプレイタイム（ＲＴ２）中に使用されるテーブルである。ＲＴ２作動中用内部抽籤テーブルは、再遊技に係る「リプレイ」に対応する乱数の範囲が、ＲＴ１作動中用内部抽籤テーブルより広く規定されている。
【００９４】
図１２は、ＲＢ作動中用内部抽籤テーブルを示す。本発明の実施形態では、ボーナスの作動やリプレイタイムの作動が行われているか否かといった状況に応じて、複数種類の内部抽籤テーブルを使い分けることにより、決定される内部当籤役の種類や当籤確率を変動させ、この結果、遊技者が抱く期待に起伏が生じるようにしている。
【００９５】
図１３及び図１４を参照して、内部当籤役決定テーブルについて説明する。内部当籤役決定テーブルは、データポインタに応じて内部当籤役を規定している。データポインタが決定されると、内部当籤役が一義的に取得される構成となっている。
【００９６】
内部当籤役は、入賞判定ライン８ａ〜８ｅに沿って表示を許可する各リールの図柄の組合せを識別するデータである。内部当籤役は、表示役と同様に、各ビットに対して固有の図柄の組合せが割り当てられた１バイトのデータとして表される。尚、データポインタが「０」のとき、内部当籤役の内容は「ハズレ」となるが、これは前述の図柄組合せテーブルにより規定されている図柄の組合せの表示が何れも許可されないことを示す。
【００９７】
図１３は、小役・リプレイ用内部当籤役決定テーブルを示す。小役・リプレイ用内部当籤役決定テーブルは、メダルの払い出しに係る内部当籤役又は再遊技の作動に係る内部当籤役を規定している。図１４は、ボーナス用内部当籤役決定テーブルを示す。ボーナス用内部当籤役決定テーブルは、ボーナスの作動に係る内部当籤役を規定している。
【００９８】
メインＲＯＭ３２に記憶されているデータテーブルの内容についての説明は以上である。次に、図１５〜図１７を参照して、メインＲＡＭ３３に設けられている各種格納領域の構成について説明する。
【００９９】
＜メインＲＡＭに記憶されているデータテーブルの構成＞
図１５を参照して、内部当籤役格納領域の構成について説明する。内部当籤役格納領域は、前述の１バイトのデータにより表される内部当籤役を格納する。ビットに「１」が立っているとき、該当する図柄の組合せの表示が許可される。尚、全ビットが「０」であるとき、その内容はハズレとなる。
【０１００】
尚、メインＲＡＭ３３には、前述の表示役が格納される表示役格納領域が設けられている。表示役格納領域の構成は、内部当籤役格納領域の構成と同様となっている。ビットに「１」が立っているとき、該当する図柄の組合せが入賞判定ライン８ａ〜８ｅに沿って表示されたことになる。
【０１０１】
図１６を参照して、持越役格納領域の構成について説明する。
【０１０２】
前述の抽籤の結果、ボーナスの作動に係る内部当籤役が決定されたときは、これが持越役格納領域に格納される。持越役格納領域に格納されたボーナスの作動に係る内部当籤役（以下、持越役）は、対応する図柄の組合せが入賞判定ライン８ａ〜８ｅに表示されるまで、その内容がクリアされずに保持される構成となっている。そして、持越役格納領域に持越役が格納されている間は、前述の抽籤の結果にかかわらず、これが内部当籤役格納領域に格納される。
【０１０３】
図１７を参照して、作動中フラグ格納領域の構成について説明する。
【０１０４】
作動中フラグ格納領域は、１バイトからなる作動中フラグを格納する。作動中フラグは、各ビットに対して固有のボーナスが割り当てられている。ビットに「１」が立っているとき、該当するボーナス、リプレイタイム（ＲＴ１及びＲＴ２）、チャンスゾーンの作動が行われている。尚、全ビットが「０」であるときの状態を一般遊技状態と定義する。
【０１０５】
メインＲＡＭ３３に設けられる各種格納領域の構成についての説明は以上である。次に、図１８〜図１９を参照して、サブＲＯＭ８２に記憶されている各種データテーブルの構成について説明する。
【０１０６】
＜サブＲＯＭに記憶されているデータテーブルの構成＞
図１８を参照して、演出画像データテーブルについて説明する。演出画像データテーブルは、複数の演出画像を決定する際に使用するものである。演出画像データテーブルには、遊技状態と、遊技状態に対応して決定される演出画像データとが規定されている。
【０１０７】
図１８に示すように、１つの演出画像データは、複数に区分けされており、定められた遊技状態になったことを契機として、演出画像データの中からスタートスイッチ６Ｓにより遊技者の開始操作が検出されたとき（以下、「開始操作時」という）、停止ボタン７Ｌにより遊技者の第１停止操作が検出されたとき（以下、「第１停止操作時」という）、停止ボタン７Ｃにより遊技者の第２停止操作が検出されたとき（以下、「第２停止操作時」という）、停止ボタン７Ｒにより遊技者の第３停止操作が検出されたとき（以下、「第３停止操作時」という）の夫々のタイミングで一の演出画像データを決定して出力される。例えば、内部当籤役が「ベル」と決定された場合には、「演出画像データＣ１〜Ｃ４」が決定され液晶表示装置５の表示画面２３には、決定された当籤役が「ベル」であることを遊技者に報知する画像が表示される。
【０１０８】
図１９を参照して、アシスト画像選択テーブルについて説明する。アシスト画像選択テーブルは、内部当籤役に基づいて、液晶表示装置５に表示されるアシスト画像データとアシスト画像データの識別情報とを規定している。
【０１０９】
アシスト画像データは、天井リプレイタイム（ＲＴ２）中に所定の内部当籤役が決定した場合に、液晶表示装置５に表示するアシスト画像を決定する際に用いられる。具体的には、一般遊技状態中に、決定された当籤役に係る図柄以外の図柄をリール３Ｌ、３Ｃ、３Ｒに表示した取りこぼし遊技の累積回数が所定回数を上回ったことを条件として、遊技の履歴情報が所定の条件を満たした場合に移行する天井リプレイタイム（ＲＴ２）中において、内部当籤役が決定した場合に、アシスト画像データテーブルの中から、内部当籤役に基づいて決定された識別情報に基づいてアシスト画像データを読み出す。例えば、所得した識別情報が「ａ１」の場合には、「アシスト画像データＡ１」を読み出して、液晶表示装置５に「アシスト画像データＡ１」に対応するアシスト画像を表示することとなる。なお、アシスト画像とは、天井リプレイタイム中に内部当籤した当籤役を遊技者に報知するための画像データである。
【０１１０】
サブＲＯＭ８２に記憶されているデータテーブルの内容についての説明は以上である。次に、図２０〜図２３を参照して液晶表示装置５に表示される演出画像の例について説明する。
【０１１１】
＜液晶表示装置の表示例＞
図２０〜図２３を参照して、液晶表示装置５に表示される演出画像の例について説明する。図２０は、液晶表示装置５に表示される一般遊技状態中の演出画像の例である。同図（ａ）は、一般遊技状態中に液晶表示装置５に表示される当籤役を報知する報知画像の例である。同図（ｂ）は、一般遊技状態中の取りこぼし遊技累積カウンタと遊技回数カウンタの表示画像の例である。
【０１１２】
図２０（ａ）に示すように、一般遊技状態中に当籤役が決定されると、決定された当籤役を報知する報知画像が表示される。ここでは、一般遊技状態中に「スイカ」が内部当籤役として決定された場合について説明する。同図（ａ）に示すように、液晶表示装置５の表示画面２３の下方には、メインキャラクタ１５０が、スイカ１３０を載せたリヤカー１５１を引く演出画像が表示され、「スイカ」が内部当籤したことを報知する報知画像が表示される。
【０１１３】
図２０（ｂ）に示すように、リール３Ｌ、３Ｃ、３Ｒが停止表示されると、取りこぼし遊技累積カウンタと遊技回数カウンタが表示される。ここでは、一般遊技状態中に、リール３Ｌ、３Ｃ、３Ｒに決定された内部当籤役に係る図柄以外の図柄が停止表示されたことによる取りこぼし遊技累積カウンタと遊技回数カウンタの表示画像が表示される例について説明する。ここでは、リール３Ｌ、３Ｃ、３Ｒに決定された内部当籤役に係る図柄以外の図柄が停止表示されると、液晶表示装置５の表示画面２３の左下には、決定された内部当籤役以外の図柄が停止表示した累積回数が「３２回」であることを示す取りこぼし遊技累積カウンタ１２０が、右下には、一般遊技状態の遊技回数が「２００回」であることを示す遊技回数カウンタ表示画像１２１が表示される。
【０１１４】
図２１は、液晶表示装置５に表示される一般遊技状態中の演出画像の例である。同図（ａ）は、一般遊技状態中に液晶表示装置５に表示される当籤役を報知する報知画像の例である。同図（ｂ）は、一般遊技状態中の取りこぼし遊技累積カウンタと遊技回数カウンタの表示画像の例である。
【０１１５】
図２１（ａ）に示すように、一般遊技状態中に当籤役が決定されると、決定された当籤役を報知する報知画像が表示される。ここでは、一般遊技状態中に「スイカ」が内部当籤役として決定された場合について説明する。同図（ａ）に示すように、液晶表示装置５の表示画面２３の下方には、メインキャラクタ１５０が、スイカ１３０を載せたリヤカー１５１を引く演出画像が表示され、「スイカ」が内部当籤したことを報知する報知画像が表示される。
【０１１６】
図２０（ｂ）に示すように、リール３Ｌ、３Ｃ、３Ｒが停止表示されると、取りこぼし遊技累積カウンタと遊技回数カウンタが表示される。ここでは、一般遊技状態中に、リール３Ｌ、３Ｃ、３Ｒに決定された内部当籤役に係る図柄が停止表示されたことによる取りこぼし遊技累積カウンタと遊技回数カウンタの表示画像が表示される例について説明する。ここでは、リール３Ｌ、３Ｃ、３Ｒに決定された内部当籤役に係る図柄が停止表示されると、遊技累積カウンタ１２０の表示はカウントされず、液晶表示装置５の表示画面２３の左下には、決定された内部当籤役以外の図柄が停止表示した累積回数が前回と同じ「１１回」であることを示している取りこぼし遊技累積カウンタ１２０が、右下には、一般遊技状態の遊技回数が「１００回」であることを示す遊技回数カウンタ表示画像１２１が表示される。
【０１１７】
図２２は、液晶表示装置５に表示されリプレイタイム（ＲＴ１）と天井リプレイタイム（ＲＴ２）へ移行する場合の演出画像の例である。同図（ａ）は、リプレイタイム開始時の演出画像の例である。同図（ｂ）は、天井リプレイタイム開始時の演出画像の例である。
【０１１８】
図２２（ａ）に示すように、遊技状態がリプレイタイム（ＲＴ１）に移行すると、遊技状態がリプレイタイムに移行したことを示す演出画像が表示される。ここでは、図２１（ｂ）において、遊技者が、リール３Ｌ、３Ｃ、３Ｒに、決定された内部当籤役に係る図柄が停止表示されないように停止操作を行い、決定された内部当籤に係る図柄以外が停止表示されたことにより取りこぼした遊技の累積回数が所定回数（３０回）を下回った場合に、ボーナスゲーム後のチャンスゾーンから中に「リプレイ」が停止表示され、リプレイタイム（ＲＴ１）に移行した場合にリプレイタイム開始表示画面１２２が表示される表示例を示す。同図（ａ）に示すように、液晶表示装置５の表示画面２３には、三尺玉１５３を持ったメインキャラクタ１５０が表示され、下方には、「リプレイタイム突入でぃ！！」という遊技状態がリプレイタイムに移行したことを示すリプレイタイム開始表示画像１２２が表示される。
【０１１９】
図２２（ｂ）に示すように、遊技状態が天井リプレイタイム（ＲＴ２）に移行すると、遊技状態が天井リプレイタイムへ移行したことを示す演出画像が表示される。ここでは、図２０（ａ）において、遊技者が、リール３Ｌ、３Ｃ、３Ｒに、決定された内部当籤役に係る図柄が停止表示されないように停止操作を行い、決定された内部当籤に係る図柄以外が停止表示されたことにより取りこぼした遊技の累積回数が所定回数（例えば、３０回）を上回ったことを条件として、一般遊技状態の遊技回数が、ボーナスを獲得することなく所定回数以上（例えば、２００回）の場合に、ボーナスゲーム後のチャンスゾーン中に「リプレイ」が停止表示され、天井リプレイタイムに移行し、天井リプレイタイム開始表示画像１２３が表示される表示例を示す。同図（ｂ）に示すように、液晶表示装置５の表示画面２３には、メインキャラクタ１５０が表示され、下方には、「天井リプレイタイム突入でぃ！！」という遊技状態が天井リプレイタイムに移行したことを示す天井リプレイタイム開始表示画像１２３が表示される。
【０１２０】
図２３は、液晶表示装置５に表示される天井リプレイタイム中のアシスト演出画像の例である。同図（ａ）は、「ベル」と「チェリー」が当籤役として同時に決定された場合の演出画像の例である。同図（ｂ）は、「ベル」と「リプレイ」が当籤役として同時に決定された場合の演出画像の例である。
【０１２１】
図２３（ａ）に示すように、天井リプレイタイム中に当籤役が決定されると、決定された当籤役を表示するアシスト演出画像が表示される。ここでは、「ベル」と「チェリー」が当籤役として同時に決定された場合のアシスト演出画像の例を示す。同図（ａ）に示すように、「ベル」と「チェリー」が当籤役として同時に決定された場合には、液晶表示装置５の表示画面２３の下方には、メインキャラクタ１５０が、ベル１３１とチェリー１３２を載せたリヤカー１５１を引く演出画像が表示され、「ベル」と「チェリー」が当籤役として決定したことを表示するアシスト演出画像が表示される。
【０１２２】
図２３（ｂ）に示すように、天井リプレイタイム中に当籤役が決定されると、決定された当籤役を表示するアシスト演出画像が表示される。ここでは、「ベル」と「リプレイ」が当籤役として同時に決定された場合のアシスト演出画像の例を示す。同図（ｂ）に示すように、「ベル」と「リプレイ」が当籤役として同時に決定された場合には、液晶表示装置５の表示画面２３の下方には、サブキャラクタ１５２が、ベル１３１とリプレイ１３３を持っている演出画像が表示され、「ベル」と「リプレイ」が当籤役として決定したことを表示するアシスト演出画像が表示される。
【０１２３】
液晶表示装置５に表示される演出画像の例についての説明は以上である。次に、図２４〜図３１を参照して、主制御回路のメインＣＰＵ３１により実行されるプログラムの内容について説明する。
【０１２４】
＜主制御回路のメインＣＰＵの制御によるメインフローチャート＞
まず、図２４を参照して、メインＣＰＵ３１の制御によるメインフローチャートについて説明する。パチスロ１に電源が投入されると、はじめに、メインＣＰＵ３１は、初期化処理を行う（ステップＳ１）。次に、メインＣＰＵ３１は、メインＲＡＭ３３における指定格納領域のクリアを行う（ステップＳ２）。例えば、内部当籤役格納領域や表示役格納領域等（図１５参照）、１回の遊技ごとに消去が必要となる格納領域に格納されたデータがクリアされる。
【０１２５】
次に、メインＣＰＵ３１は、後で図２５を参照して説明するメダル受付・スタートチェック処理を行う（ステップＳ３）。この処理では、メダルセンサ２２Ｓやスタートスイッチ６Ｓの入力のチェック等が行われる。
【０１２６】
次に、メインＣＰＵ３１は、乱数値を抽出し、メインＲＡＭ３３に設けられた乱数値格納領域に格納する（ステップＳ４）。次に、メインＣＰＵ３１は、後で図２６を参照して説明する内部抽籤処理を行う（ステップＳ５）。この処理では、乱数値に基づいた抽籤により内部当籤役の決定が行われる。本発明の実施形態では、開始操作の検出に基づいて複数の役から内部当籤役を決定するための乱数値を抽出する当籤役決定手段として機能する。
【０１２７】
次に、メインＣＰＵ３１は、ＲＴ遊技数カウンタ更新処理を行う（ステップＳ６）。ＲＴ遊技数カウンタは、ＲＴ作動中において行われた単位遊技の回数を計数するためのデータである。この処理では、ＲＴ遊技数カウンタが０か否かが判別され、ＲＴ遊技数カウンタが０でないと判別された場合にＲＴ遊技数カウンタが１減算される。この減算の結果、ＲＴ遊技数カウンタが０になったか否かが判別され、ＲＴ遊技数カウンタが０になったと判別された場合にＲＴ１作動中フラグ又はＲＴ２作動中フラグがクリアされる。次に、メインＣＰＵ３１は、スタートコマンドを副制御回路７２に対して送信する（ステップＳ７）。スタートコマンドは、内部当籤役等を特定するパラメータを含んで構成される。
【０１２８】
次に、メインＣＰＵ３１は、全リール３Ｌ、３Ｃ、３Ｒの回転開始を要求する（ステップＳ８）。尚、全リール３Ｌ、３Ｃ、３Ｒの回転開始が要求されると、一定の周期（１．１１７３ｍｓｅｃ）で実行される割込処理（後述の図３１）によってステッピングモータ４９Ｌ、４９Ｃ、４９Ｒの駆動が制御され、各リール３Ｌ、３Ｃ、３Ｒの回転が開始される。
【０１２９】
次に、メインＣＰＵ３１は、後で図２８を参照して説明するリール停止制御処理を行う（ステップＳ９）。この処理では、ストップスイッチ７Ｓの入力のチェックが行われ、ストップボタン７Ｌ、７Ｃ、７Ｒが押されたタイミングと内部当籤役とに基づいて該当リール３Ｌ、３Ｃ、３Ｒの回転が停止される。この処理は、本発明の実施形態では、図柄を停止して表示する図柄停止制御手段として機能する。
【０１３０】
次に、メインＣＰＵ３１は、入賞判定ラインに沿って表示された図柄の組合せを検索し、その結果に基づいて払出枚数等を決定する（ステップＳ１０）。検索の結果、入賞判定ラインに沿って表示された図柄の組合せが図柄組合せテーブル（図７参照）により規定されている図柄の組合せと一致する場合、対応する表示役及び払出枚数が決定される。次に、メインＣＰＵ３１は、表示コマンドを副制御回路７２に対して送信する（ステップＳ１１）。表示コマンドは、表示役や払出枚数等を特定するパラメータを含んで構成される。
【０１３１】
次に、メインＣＰＵ３１は、メダル払出処理を行う（ステップＳ１２）。決定された払出枚数に基づいて、ホッパー４０の駆動やクレジット枚数の更新が行われる。次に、メインＣＰＵ３１は、払出枚数に基づいて、ボーナス終了枚数カウンタを更新する（ステップＳ１３）。払出枚数として決定された数値がボーナス終了枚数カウンタから減算される。
【０１３２】
次に、メインＣＰＵ３１は、ボーナス作動中フラグがオンであるか否かを判別する（ステップＳ１４）。メインＣＰＵ３１は、ボーナス作動中フラグがオンであると判別したときには（ステップＳ１４：ＹＥＳ）、後で図３０を参照して説明するボーナス終了チェック処理を行う（ステップＳ１５）。ボーナスの終了契機を管理するための各種カウンタを参照して、ボーナスの作動を終了するか否かがチェックされる。
【０１３３】
メインＣＰＵ３１は、ステップＳ１５の後、又は、ステップＳ１４においてボーナス作動中フラグがオンではないと判別したときには（ステップＳ１４：ＮＯ）、後で図２９を参照して説明するボーナス作動チェック処理を行う（ステップＳ１６）。ボーナスの作動を開始するか否かがチェックされる。この処理が終了すると、ステップＳ２に移る。
【０１３４】
次に、図２５を参照して、メダル受付・スタートチェック処理について説明する。はじめに、メインＣＰＵ３１は、自動投入カウンタは０であるか否かを判別する（ステップＳ３１）。自動投入カウンタは０であると判別したときには（ステップＳ３１：ＹＥＳ）、メダル通過許可を行う（ステップＳ３２）。セレクタ２６のソレノイドの駆動が行われ、セレクタ２６内のメダルの通過が促される。
【０１３５】
メインＣＰＵ３１は、自動投入カウンタは０ではないと判別したときには（ステップＳ３１：ＮＯ）、自動投入カウンタを投入枚数カウンタに複写する（ステップＳ３３）。次に、メインＣＰＵ３１は、自動投入カウンタをクリアする（ステップＳ３４）。ステップＳ３３及びステップＳ３４は再遊技を行うための処理である。
【０１３６】
メインＣＰＵ３１は、ステップＳ３２又はステップＳ３４の後で、投入枚数カウンタの最大値として３をセットする（ステップＳ３５）。次に、メインＣＰＵ３１は、ボーナス作動中フラグがオンであるか否かを判別する（ステップＳ３６）。メインＣＰＵ３１は、ボーナス作動中フラグがオンであると判別したときには（ステップＳ３６：ＹＥＳ）、投入枚数カウンタの最大値を変更する（ステップＳ３７）。例えば、最大値が２に変更される。
【０１３７】
メインＣＰＵ３１は、ステップＳ３７の後、又は、ステップＳ３６においてボーナス作動中フラグがオンではないと判別したときには（ステップＳ３６：ＮＯ）、メダルの通過は検出されたか否かを判別する（ステップＳ３８）。メインＣＰＵ３１は、メダルの通過は検出されたと判別したときには（ステップＳ３８：ＹＥＳ）、投入枚数カウンタは最大値に達したか否かを判別する（ステップＳ３９）。メインＣＰＵ３１は、投入枚数カウンタは最大値に達していないと判別したときには（ステップＳ３９：ＮＯ）、投入枚数カウンタを１加算する（ステップＳ４０）。次に、メインＣＰＵ３１は、有効ラインカウンタに５を格納する（ステップＳ４１）。次に、メインＣＰＵ３１は、メダル投入コマンドを副制御回路７２に対して送信する（ステップＳ４２）。メダル投入コマンドは、投入枚数等を特定するためのパラメータを含んで構成されている。
【０１３８】
メインＣＰＵ３１は、ステップＳ３９において投入枚数カウンタは最大値であると判別したときには（ステップＳ３９：ＹＥＳ）、クレジットカウンタを１加算する（ステップＳ４３）。メインＣＰＵ３１は、ステップＳ４３の後、ステップＳ４２の後、又は、ステップＳ３８においてメダルの通過が検出されていないと判別したときには（ステップＳ３８：ＮＯ）、ベットスイッチ１２Ｓのチェックを行う（ステップＳ４４）。ベットボタン１２に対応する数値が投入枚数カウンタに加算される一方でクレジットカウンタから減算される。
【０１３９】
次に、メインＣＰＵ３１は、投入枚数カウンタは最大値に達したか否かを判別する（ステップＳ４５）。投入枚数カウンタは最大値に達していないと判別したときには（ステップＳ４５：ＮＯ）、ステップＳ３８に移る一方で、投入枚数カウンタは最大値に達したと判別したときには（ステップＳ４５：ＹＥＳ）、スタートスイッチ６Ｓはオンであるか否かを判別する（ステップＳ４６）。
【０１４０】
メインＣＰＵ３１は、スタートスイッチ６Ｓはオンではないと判別したときには（ステップＳ４６：ＮＯ）、ステップＳ３８に移る一方で、スタートスイッチ６Ｓはオンであると判別したときには（ステップＳ４６：ＹＥＳ）、メダル通過禁止を行う（ステップＳ４７）。セレクタ２６のソレノイドの駆動が行われず、メダルの排出が促される。この処理が終了すると、メダル受付・スタートチェック処理を終了する。
【０１４１】
次に、図２６を参照して、内部抽籤処理について説明する。はじめに、メインＣＰＵ３１は、内部抽籤テーブル（図９、図１２参照）及び抽籤回数を決定する（ステップＳ６１）。作動中フラグ格納領域（図１７参照）が参照され、ボーナスの作動の有無等に応じて、内部抽籤テーブル（図１０、図１１参照）及び抽籤回数が決定される。尚、抽籤回数は、内部抽籤テーブル（図１０、図１１参照）により規定された各当籤番号について、抽籤値の減算及び桁かりが生じたか否かの判定を行う回数を示す。
【０１４２】
次に、メインＣＰＵ３１は、後で、図２７を参照して説明する内部抽籤テーブル変更処理を行う（ステップＳ６２）。この処理では、作動中フラグ格納領域（図１７参照）を参照してＲＴ作動中フラグ（ＲＴ１又はＲＴ２）の種別に基づいて、対応するＲＴ作動中用内部抽籤テーブル（図１０、図１１参照）に変更する処理が行われる。
【０１４３】
次に、メインＣＰＵ３１は、乱数値格納領域に格納されている乱数値を取得し、判定用乱数値としてセットする（ステップＳ６３）。次に、メインＣＰＵ３１は、当籤番号の初期値として１をセットする（ステップＳ６４）。
【０１４４】
次に、メインＣＰＵ３１は、内部抽籤テーブル（図９〜図１２参照）を参照し、当籤番号に対応する抽籤値を取得する（ステップＳ６５）。次に、メインＣＰＵ３１は、判定用乱数値から抽籤値を減算する（ステップＳ６６）。次に、メインＣＰＵ３１は、桁かりが行われたか否かを判別する（ステップＳ６７）。メインＣＰＵ３１は、桁かりが行われていないと判別したときには（ステップＳ６７：ＮＯ）、抽籤回数を１減算し、当籤番号を１加算する（ステップＳ６８）。
【０１４５】
次に、メインＣＰＵ３１は、抽籤回数は０であるか否かを判別する（ステップＳ６９）。メインＣＰＵ３１は、抽籤回数は０ではないと判別したときには（ステップＳ６９：ＮＯ）、ステップＳ６５に移る一方で、抽籤回数は０であると判別したときには（ステップＳ６９：ＹＥＳ）、小役・リプレイ用データポインタとして０をセットし、ボーナス用データポインタとして０をセットする（ステップＳ７０）。
【０１４６】
メインＣＰＵ３１は、ステップＳ６７において桁かりが行われたと判別したときには（ステップＳ６７：ＹＥＳ）、現在の当籤番号に応じて、小役・リプレイ用データポインタ及びボーナス用データポインタを取得する（ステップＳ７１）。メインＣＰＵ３１は、ステップＳ７１又はステップＳ７０の後で、小役・リプレイ用内部当籤役決定テーブル（図１３参照）を参照し、小役・リプレイ用データポインタに基づいて内部当籤役を取得する（ステップＳ７２）。
【０１４７】
次に、メインＣＰＵ３１は、取得した内部当籤役を内部当籤役格納領域（図１５参照）に格納する（ステップＳ７３）。次に、メインＣＰＵ３１は、持越役格納領域（図１６参照）に格納されているデータは０であるか否かを判別する（ステップＳ７４）。メインＣＰＵ３１は、持越役格納領域（図１６参照）に格納されているデータは０であると判別したときは（ステップＳ７４：ＹＥＳ）、ボーナス用内部当籤役決定テーブル（図１４参照）を参照し、ボーナス用データポインタに基づいて内部当籤役を取得する（ステップＳ７５）。次に、メインＣＰＵ３１は、取得した内部当籤役を持越役格納領域（図１６参照）に格納する（ステップＳ７６）。
【０１４８】
メインＣＰＵ３１は、ステップＳ７６の後、又は、ステップＳ７４において持越役格納領域（図１６参照）に格納されているデータは０ではないと判別したときには（ステップＳ７４：ＮＯ）、持越役格納領域（図１６参照）と内部当籤役格納領域（図１５参照）との論理和をとり、その結果を内部当籤役格納領域（図１５参照）に格納する（ステップＳ７７）。つまり、ボーナスの作動に係る内部当籤役の持ち越しが行われる。この処理が終了すると、内部抽籤処理を終了する。
【０１４９】
次に、図２７を参照して、内部抽籤テーブル変更処理について説明する。はじめに、メインＣＰＵ３１は、ＢＢ作動中フラグがオンであるか否かを判別する（ステップＳ８１）。具体的には、メインＣＰＵ３１は、作動中フラグ格納領域（図１７参照）を参照して、ＢＢ作動中フラグがオンであるか否かを判別する。メインＣＰＵ３１は、ＢＢ作動中フラグがオンであると判別したときには（ステップＳ８１：ＹＥＳ）、内部抽籤テーブル変更処理を終了する。
【０１５０】
一方、メインＣＰＵ３１は、ＢＢ作動中フラグがオンではないと判別したときには（ステップＳ８１：ＮＯ）、ＲＴ１作動中フラグがオンであるか否かを判別する（ステップＳ８２）。具体的には、メインＣＰＵ３１は、一般遊技状態中に、遊技者が、リール３Ｌ、３Ｃ、３Ｒに決定された内部当籤役に係る図柄が停止表示されないように停止操作を行い、決定された内部当籤に係る図柄以外が停止表示されたことにより取りこぼした遊技の累積回数が所定回数を下回った場合に、ボーナスゲーム後のチャンスゾーン中に「リプレイ」が停止表示され、リプレイタイム（ＲＴ１）が作動し、ＲＴ１作動中フラグがオンであるか否かを判別する。メインＣＰＵ３１は、ＲＴ１作動中フラグがオンであると判別したときには（ステップＳ８２：ＹＥＳ）、内部抽籤テーブルをＲＴ１作動中用内部抽籤テーブル（図１０参照）へ変更する（ステップＳ８３）。
【０１５１】
一方、メインＣＰＵ３１は、ＲＴ１作動中フラグがオンではないと判別したときには（ステップＳ８２：ＮＯ）、メインＣＰＵ３１は、ＲＴ２作動中フラグがオンであるか否かを判別する（ステップＳ８４）。具体的には、メインＣＰＵ３１は、一般遊技状態中に、遊技者が、リール３Ｌ、３Ｃ、３Ｒに決定された内部当籤役に係る図柄が停止表示されないように停止操作を行い、決定された内部当籤に係る図柄以外が停止表示されることにより取りこぼした遊技の累積回数が所定回数を上回った場合に、一般遊技状態の遊技回数がボーナスを獲得することなく所定回数以上（２００回）であって、ボーナスゲーム後のチャンスゾーン中に「リプレイ」が停止表示され、天井リプレイタイム（ＲＴ２）が作動し、ＲＴ２作動中フラグがオンであるか否かを判別する。
【０１５２】
一方、メインＣＰＵ３１は、ＲＴ２作動中フラグがオンであると判別したときには（ステップＳ８４：ＹＥＳ）、内部抽籤テーブルをＲＴ２作動中用内部抽籤テーブルへ変更する（ステップＳ８５）。メインＣＰＵ３１は、ＲＴ２作動中フラグがオンではないと判別したとき（ステップＳ８４：ＮＯ）、ステップＳ８３又はステップＳ８５の処理を終了したときには、内部抽籤テーブル変更処理を終了する。
【０１５３】
これにより、一般遊技状態中に、遊技者が、リール３Ｌ、３Ｃ、３Ｒに決定された内部当籤役に係る図柄が停止表示されないように停止操作を行い、決定された内部当籤に係る図柄以外が停止表示されることにより取りこぼした遊技の累積回数が所定回数を上回った場合に、一般遊技状態の遊技回数がボーナスを獲得することなく所定回数以上で、「リプレイ」が停止表示され、天井リプレイタイム（ＲＴ２）に使用する第２テーブルは、リプレイ役に対応する乱数値の範囲が、一般遊技状態で使用する第１テーブルより広く設定されているので、第２テーブルを使用する天井リプレイタイムへの期待感の向上を図ることが可能な遊技機を提供することができる。
【０１５４】
次に、図２８を参照して、リール停止制御処理について説明する。はじめに、メインＣＰＵ３１は、有効なストップボタン７Ｌ、７Ｃ、７Ｒが押されたか否かを判別する（ステップＳ１０１）。メインＣＰＵ３１は、有効なストップボタン７Ｌ、７Ｃ、７Ｒが押されていないと判別したときには（ステップＳ１０１：ＮＯ）、これが押されるまで待機する。
【０１５５】
メインＣＰＵ３１は、有効なストップボタン７Ｌ、７Ｃ、７Ｒが押されたと判別したときには（ステップＳ１０１：ＹＥＳ）、該当ストップボタン７Ｌ、７Ｃ、７Ｒの操作を無効化する（ステップＳ１０２）。各ストップボタン７Ｌ、７Ｃ、７Ｒの有効及び無効の状態は、メインＲＡＭ３３に設けられた所定の格納領域において管理される。
【０１５６】
次に、メインＣＰＵ３１は、チェック回数として５をセットする（ステップＳ１０３）。本実施の形態では、滑り駒数の最大数を「４」としていることから、ストップボタン７Ｌ、７Ｃ、７Ｒが押されたときに該当表示窓４Ｌ、４Ｃ、４Ｒの中段にある図柄の位置を含め、そこから４個先の図柄の位置までがチェックの対象となる。つまり、「０」、「１」、「２」、「３」及び「４」の５つの数値の何れかが滑り駒数として決定される。
【０１５７】
次に、メインＣＰＵ３１は、内部当籤役に基づいて、ストップボタン７Ｌ、７Ｃ、７Ｒが押されたときに該当表示窓４Ｌ、４Ｃ、４Ｒの中段にある図柄の位置（以下、停止開始位置）を含めたチェック回数の範囲内にある各図柄の位置の中で、最も優先順位の高い図柄の位置を検索する（ステップＳ１０４）。この処理では、内部当籤役によって表示が許可されている図柄の組合せを、入賞判定ライン８ａ〜８ｅに沿って表示することが可能となる図柄の位置が、最も優先順位の高い図柄の位置として決定される。
【０１５８】
次に、メインＣＰＵ３１は、検索の結果に基づいて滑り駒数を決定する（ステップＳ１０５）。停止開始位置から上記最も優先順位の高い図柄の位置までの図柄の個数が滑り駒数として決定される。次に、メインＣＰＵ３１は、停止予定位置待ちへ移行する（ステップＳ１０６）。停止予定位置待ちへ移行すると、後述の割込処理によってステッピングモータ４９Ｌ、４９Ｃ、４９Ｒの駆動が制御され、最も優先順位の高い図柄の位置が該当表示窓の中段に到達するのを待って該当リール３Ｌ、３Ｃ、３Ｒの回転が停止される。
【０１５９】
次に、メインＣＰＵ３１は、所定の遊技状態か否かを判別する（ステップＳ１０７）。具体的には、メインＣＰＵ３１は、一般遊技状態中であるか否かを判別する。メインＣＰＵ３１は、所定の遊技状態であると判別したときには（ステップＳ１０７：ＹＥＳ）、メインＣＰＵ３１は、所定の当籤役が決定されたか否かを判別する（ステップＳ１０８）。具体的には、メインＣＰＵ３１は、一般遊技状態において、取りこぼしが発生する可能性のある「チェリー」又は「スイカ」が内部当籤役として決定されたか否かを判別する。メインＣＰＵ３１は、所定の当籤役が決定されたと判別したときには（ステップＳ１０８：ＹＥＳ）、当籤役に係る図柄以外の図柄が停止表示されたか否かを判別する（ステップＳ１０９）。当籤役に係る図柄以外の図柄が停止表示されたと判別したときには（ステップＳ１９８：ＹＥＳ）、取りこぼし遊技回数をメインＲＡＭ３３へ記憶する（ステップＳ１１０）。
【０１６０】
次に、メインＣＰＵ３１は、取りこぼし遊技回数コマンドを副制御回路７２に対して送信する（ステップＳ１１１）。メインＣＰＵ３１は、所定の遊技状態ではないと判別したとき（ステップＳ１０７：ＮＯ）、所定の内部当籤役ではないと判別したとき（ステップＳ１０８：ＮＯ）、当籤役に係る図柄以外の図柄が停止表示したと判別したときには（ステップＳ１０９：ＮＯ）、ステップＳ１１１の処理を終了したときには、メインＣＰＵ３１は、リール停止コマンドを副制御回路に対して送信する（ステップＳ１１２）。リール停止コマンドは、停止したリール３Ｌ、３Ｃ、３Ｒの種別等を特定するパラメータを含んで構成されている。
【０１６１】
これにより、引き込み制御に係らない図柄が表示された場合の取りこぼし遊技の累積回数を記憶し、通常の遊技モードの遊技回数と、取りこぼし遊技の累積回数に基づいて、天井リプレイタイム（ＲＴ２）を作動することができるので、一般遊技状態中に「スイカ」や「チェリー」の小役の取りこぼすことにより、取りこぼし遊技の累積回数を記憶し、取りこぼした遊技の累積回数が所定回数を上回った場合に、一般遊技状態の遊技回数がボーナスを獲得することなく所定回数以上であって、ボーナスゲーム後のチャンスゾーン中に「リプレイ」が停止表示されたことを契機に天井リプレイタイムを作動することができるので、多様なリプレイタイムの作動を行うことにより、遊技者が抱く期待感の向上を図ることが可能な遊技機を提供することができる。
【０１６２】
次に、メインＣＰＵ３１は、操作が有効なストップボタン７Ｌ、７Ｃ、７Ｒがあるか否かを判別する（ステップＳ１１３）。つまり、まだ回転中のリール３Ｌ、３Ｃ、３Ｒがあるか否かが判別される。メインＣＰＵ３１は、操作が有効なストップボタン７Ｌ、７Ｃ、７Ｒがあると判別したときには（ステップＳ１１３：ＹＥＳ）、Ｓ１０１に移る一方で、操作が有効なストップボタン７Ｌ、７Ｃ、７Ｒがないと判別したときには（ステップＳ１１３：ＮＯ）、リール停止制御処理を終了する。
【０１６３】
次に、図２９を参照して、ボーナス作動チェック処理について説明する。はじめに、メインＣＰＵ３１は、チャンスジゾーンフラグはオンであるか否かを判別する（ステップＳ１２１）。具体的には、メインＣＰＵ３１は、ボーナスゲームが終了し、遊技状態が、リプレイタイム（ＲＴ１又はＲＴ２）に移行することのあるチャンスゾーンへ移行するためのチャンスゾーンフラグがオンであるか否かを判別する。メインＣＰＵ３１は、チャンスゾーンフラグがオンであると判別したときには（ステップＳ１２１：ＹＥＳ）、表示役はリプレイか否かを判別する（ステップ１２２）。メインＣＰＵ３１は、表示役がリプレイであると判別したときには（ステップ１２２：ＹＥＳ）、ＲＴ１作動中フラグがオンであるか否かを判別する（ステップＳ１２３）。具体的には、遊技状態がリプレイタイム（ＲＴ１）へ移行するためのＲＴ１作動中フラグがオンであるか否かを判別する。
【０１６４】
メインＣＰＵ３１は、ＲＴ１作動中フラグがオンではないと判別したときには（ステップＳ１２３：ＮＯ）、ＲＴ２作動中フラグがオンであるか否かを判別する（ステップＳ１２４）。具体的には、メインＣＰＵ３１は、取りこぼし遊技の累積回数が所定回数以上であることを条件に、一般遊技状態の遊技回数がボーナスを獲得することなく所定回数以上である場合に、遊技状態が第２テーブルを使用する天井リプレイタイム（ＲＴ２）に移行するためのＲＴ２フラグがオンであるか否かを判別する。
【０１６５】
メインＣＰＵ３１は、ＲＴ２作動中フラグがオンではないと判別したときには（ステップＳ１２４：ＮＯ）、取りこぼし遊技回数及び遊技回数が所定以上か否かを判別する（ステップＳ１２５）。具体的には、メインＣＰＵ３１は、取りこぼしが発生する「チェリー」又は「スイカ」が内部当籤役として決定され、「チェリー」又は「スイカ」が停止表示されないことにより取りこぼした小役の累積回数が所定回数以上で、一般遊技状態の遊技回数がボーナスを獲得することなく所定回数以上であるか否かを判別する。メインＣＰＵ３１は、取りこぼし遊技回数及び一般遊技状態の遊技回数が所定以上ではないと判別したときには（ステップＳ１２５：ＮＯ）、ＲＴ１作動時処理を行う（ステップＳ１２６）。この処理では、ＲＴ１フラグがオンにされ、ＲＴ１遊技回数カウンタに所定値がセットされる。メインＣＰＵ３１は、ＲＴ１作動中フラグがオンであると判別したとき（ステップＳ１２３：ＹＥＳ）、ＲＴ２作動中フラグがオンであると判別したとき（ステップＳ１２４：ＹＥＳ）、ステップ１２６の処理を終了したときには、ボーナス作動チェック処理を終了する。
【０１６６】
一方、メインＣＰＵ３１は、取りこぼし遊技回数及び遊技回数が所定以上であると判別したときには（ステップＳ１２５：ＹＥＳ）、ＲＴ２作動時処理を行う（ステップＳ１２７）。この処理では、ＲＴ２フラグがオンにされ、ＲＴ２遊技回数カウンタに所定値がセットされる。メインＣＰＵ３１は、この処理を終了したときには、ボーナス作動チェック処理を終了する。
【０１６７】
メインＣＰＵ３１は、チャレンジソーンフラグはオンではないと判別したとき（ステップＳ１２１：ＮＯ）、表示役はリプレイではないと判別したとき（ステップＳ１２２：ＮＯ）には、表示役はＢＢであるか否かを判別する（ステップＳ１２８）。メインＣＰＵ３１は、表示役はＢＢであると判別したときには（ステップＳ１２８：ＹＥＳ）、ボーナス作動時テーブル（図８参照）を参照し、ＢＢ作動時処理を行う（ステップＳ１２９）。この処理では、ＢＢ作動中フラグがオンにされ、ボーナス終了枚数カウンタに所定値がセットされる。
【０１６８】
次に、メインＣＰＵ３１は、持越役格納領域（図１６参照）をクリアする（ステップＳ１３０）。次に、メインＣＰＵ３１は、取りこぼし遊技及び遊技履歴情報をクリアする（ステップＳ１３１）。具体的には、メインＣＰＵ３１は、メインＲＡＭ３３に記憶された一般遊技状態中に小役を取りこぼした累積回数と、一般遊技状態の遊技回数をクリアする。
【０１６９】
次に、メインＣＰＵ３１は、ボーナス開始コマンドを副制御回路７２に対して送信する（ステップＳ１３２）。この処理が終了すると、ボーナス作動チェック処理を終了する。
【０１７０】
メインＣＰＵ３１は、ステップＳ１２８において表示役はＢＢではないと判別したときには（ステップＳ１２８：ＮＯ）、表示役はリプレイであるか否かを判別する（ステップＳ１３３）。メインＣＰＵ３１は、表示役はリプレイであると判別したときには（ステップＳ１３３：ＹＥＳ）、投入枚数カウンタの値を自動投入カウンタに複写する（ステップＳ１３４）。
【０１７１】
メインＣＰＵ３１は、ステップＳ１３３において表示役はリプレイではないと判別したときには（ステップＳ１３３：ＮＯ）、ＢＢ作動中フラグはオンであるか否かを判別する（ステップＳ１３５）。メインＣＰＵ３１は、ＢＢ作動中フラグはオンではないと判別したときには（ステップＳ１３５：ＮＯ）、ボーナス作動チェック処理を終了する一方で、ＢＢ作動中フラグはオンであると判別したときには（ステップＳ１３５：ＹＥＳ）、ＲＢ作動中フラグはオンであるか否かを判別する（ステップＳ１３６）。
【０１７２】
メインＣＰＵ３１は、ＲＢ作動中フラグはオンであると判別したときには（ステップＳ１３６：ＹＥＳ）、ボーナス作動チェック処理を終了する一方で、ＲＢ作動中フラグはオンではないと判別したときには（ステップＳ１３６：ＮＯ）、ボーナス作動時テーブル（図８参照）を参照し、ＲＢ作動時処理を行う（ステップＳ１３７）。この処理では、ＲＢ作動中フラグがオンにされ、入賞可能回数カウンタ及び遊技可能回数カウンタに所定値がセットされる。メインＣＰＵ３１は、この処理を終了したときには、ボーナス作動チェック処理を終了する。
【０１７３】
次に、図３０を参照して、ボーナス終了チェック処理について説明する。はじめに、メインＣＰＵ３１は、ボーナス終了枚数カウンタは０であるか否かを判別する（ステップＳ１４１）。メインＣＰＵ３１は、ボーナス終了枚数カウンタは０であると判別したときには（ステップＳ１４１：ＹＥＳ）、ＢＢ終了時処理を行う（ステップＳ１４２）。この処理では、ＢＢ作動中フラグ及びＲＢ作動中フラグがオフされ、ボーナスの終了契機を管理するための各種カウンタがクリアされる。次に、メインＣＰＵ３１は、チャレンジゾーンフラグをオンにする（ステップＳ１４３）。具体的には、メインＣＰＵ３１は、ボーナスゲーム終了後に遊技状態が、リプレイタイム（ＲＴ１）に移行することのあるチャンスゾーンに移行するためのチャンスゾーンフラグをオンにする。
【０１７４】
次に、メインＣＰＵ３１は、ボーナス終了コマンドを副制御回路７２に対して送信する（ステップＳ１４４）。この処理を終了したときには、ステップＳ１４８に処理を移す。次に、メインＣＰＵ３１は、Ｓ１４１においてボーナス終了枚数カウンタは０ではないと判別したときには（ステップＳ１４１：ＮＯ）、入賞可能回数カウンタ又は遊技可能回数カウンタを更新する（ステップＳ１４５）。遊技可能回数カウンタが１減算され、また、入賞が有った場合に入賞可能回数カウンタが１減算される。次に、メインＣＰＵ３１は、入賞可能回数カウンタ又は遊技可能回数カウンタは０であるか否かを判別する（ステップＳ１４６）。
【０１７５】
メインＣＰＵ３１は、入賞可能回数カウンタ又は遊技可能回数カウンタは０ではないと判別したときには（ステップＳ１４６：ＮＯ）、ステップＳ１４８に処理を移す一方で、入賞可能回数カウンタ又は遊技可能回数カウンタは０であると判別したときには（ステップＳ１４６：ＹＥＳ）、ＲＢ終了時処理を行う（ステップＳ１４７）。この処理では、ＲＢ作動中フラグがオフされ、入賞可能回数カウンタ及び遊技可能回数カウンタがクリアされる。
【０１７６】
次に、メインＣＰＵ３１は、ＲＴ遊技数カウンタは０か否かを判別する（ステップＳ１４８）。メインＣＰＵ３１は、ＲＴ遊技数カウンタは０であると判別したときには（ステップＳ１４８：ＹＥＳ）、ＲＴ終了時処理を行う（ステップＳ１４９）。この処理では、ＲＴ１又はＲＴ２作動中フラグがオフにされ、ＲＴの終了契機を管理するための各種カウンタがクリアされる。メインＣＰＵ３１は、ＲＴ遊技数カウンタは０ではないと判別したとき（ステップＳ１４８：ＮＯ）、ステップＳ１４９の処理を終了したときには、ボーナス終了チェック処理を終了する。
【０１７７】
次に、図３１を参照して、メインＣＰＵ３１の制御による割込処理（１．１１７３ｍｓｅｃ）について説明する。はじめに、メインＣＰＵ３１は、レジスタの退避を行う（ステップＳ１６１）。次に、メインＣＰＵ３１は、入力ポートチェック処理を行う（ステップＳ１６２）。この処理では、ストップスイッチ７Ｓ等の各種スイッチから入力される信号がチェックされる。
【０１７８】
次に、メインＣＰＵ３１は、リール制御処理を行う（ステップＳ１６３）。この処理では、全リール３Ｌ、３Ｃ、３Ｒの回転開始が要求されたときに、各リール３Ｌ、３Ｃ、３Ｒの回転を開始し、その後一定速度での回転を行うよう、ステッピングモータ４９Ｌ、４９Ｃ、４９Ｒの駆動が制御される。また、滑り駒数が決定されたときは、該当リール３Ｌ、３Ｃ、３Ｒの回転が滑り駒数分継続するのを待ってその回転の減速及び停止を行うよう、ステッピングモータ４９Ｌ、４９Ｃ、４９Ｒの駆動が制御される。
【０１７９】
次に、メインＣＰＵ３１は、ランプ・７セグ駆動処理を行う（ステップＳ１６４）。次に、メインＣＰＵ３１は、レジスタの復帰を行う（ステップＳ１６５）。この処理が終了すると、割込処理を終了する。
【０１８０】
主制御回路のメインＣＰＵ３１により実行されるプログラムの内容についての説明は以上である。次に、図３２〜図３５を参照して、副制御回路のサブＣＰＵ８１により実行されるプログラムの内容について説明する。
【０１８１】
＜副制御回路のサブＣＰＵによって実行されるプログラムフロー＞
【０１８２】
図３２を参照して、サブＣＰＵ８１により行われる主基板通信タスクについて説明する。はじめに、サブＣＰＵ８１は、主制御回路７１から送信されたコマンドの受信チェックを行う（ステップＳ３０１）。次に、サブＣＰＵ８１は、コマンドを受信した場合、そのコマンドの種別を抽出する（ステップＳ３０２）。
【０１８３】
次に、サブＣＰＵ８１は、前回とは異なるコマンドを受信したか否かを判別する（ステップＳ３０３）。サブＣＰＵ８１は、前回とは異なるコマンドを受信しなかったと判別したときには（ステップＳ３０３：ＮＯ）、ステップＳ３０１に移る一方で、前回とは異なるコマンドを受信したと判別したときには（ステップＳ３０３：ＹＥＳ）、メッセージキューに格納し（ステップＳ３０４）、ステップＳ３０１に移る。
【０１８４】
次に、図３３を参照して、サブＣＰＵ８１により行われる演出登録タスクについて説明する。はじめに、サブＣＰＵ８１は、メッセージキューからメッセージを取り出す（ステップＳ３１１）。次に、サブＣＰＵ８１は、メッセージは有るか否かを判別する（ステップＳ３１２）。サブＣＰＵ８１は、メッセージは有ると判別したときには（ステップＳ３１２：ＹＥＳ）、メッセージから遊技情報を複写する（ステップＳ３１３）。例えば、パラメータによって特定される、内部当籤役、回転が停止したリール３Ｌ、３Ｃ、３Ｒの種別、表示役、作動中フラグ等といった各種データがサブＲＡＭ８３に設けられた格納領域に複写される。
【０１８５】
次に、サブＣＰＵ８１は、後で図３４を参照して説明する演出内容決定処理を行う（ステップＳ３１４）。この処理では、受信したコマンドの種別に応じて、演出内容の決定や演出データの登録等が行われる。
【０１８６】
サブＣＰＵ８１は、ステップＳ３１４の後、又は、ステップＳ３１２においてメッセージは無かったと判別したときには（ステップＳ３１２：ＮＯ）、アニメーションデータの登録を行う（ステップＳ３１５）。次に、サブＣＰＵ８１は、サウンドデータの登録を行う（ステップＳ３１６）。次に、サブＣＰＵ８１は、ランプデータの登録を行う（ステップＳ３１７）。アニメーションデータの登録、サウンドデータの登録及びランプデータの登録は、演出内容決定処理において登録された演出データに基づいて行われる。この処理が終了すると、ステップＳ３１１に移る。
【０１８７】
次に、図３４を参照して、サブＣＰＵ８１により実行される演出内容決定処理のフローチャートについて説明する。はじめに、サブＣＰＵ８１は、スタートコマンド受信時であるか否かを判別する（ステップＳ３２１）。サブＣＰＵ８１は、スタートコマンド受信時であると判別したときには（ステップＳ３２１：ＹＥＳ）、後で図３５を参照して説明するアシスト画像決定処理を行う（ステップＳ３２２）。この処理では、天井リプレイタイム中に当籤役が決定されると、決定された当籤役を表示するアシスト画演出画像を表示する。
【０１８８】
次に、サブＣＰＵ８１は、演出用乱数値を抽出し、内部当籤役等に基づいて演出番号を抽籤により決定し、登録する（ステップＳ３２３）。演出番号は、今回において実行する演出内容を指定するデータである。
【０１８９】
次に、サブＣＰＵ８１は、登録されている演出番号に基づいて、スタート時の演出データを登録する（ステップＳ３２４）。演出データは、アニメーションデータ、サウンドデータ及びランプデータを指定するデータである。演出データが登録されると、対応するアニメーションデータ等が決定され、映像の表示等の演出が実行される。この処理が終了すると、演出内容決定処理を終了する。
【０１９０】
次に、サブＣＰＵ８１は、スタートコマンド受信時ではないと判別したときには(ステップＳ３２１：ＮＯ)、リール停止コマンド受信時であるか否かを判別する（ステップＳ３２５）。サブＣＰＵ８１は、リール停止コマンド受信時であると判別したときには（ステップＳ３２５：ＹＥＳ）、登録されている演出番号とストップボタン７Ｌ、７Ｃ、７Ｒの種別に基づいて、停止時の演出データを登録する（ステップＳ３２６）。例えば、一般遊技状態中に当籤役が決定した場合には、サブＲＯＭ８２に記憶された演出画像データテーブル（図１８参照）から決定された当籤役に基づいて演出画像データを読み出し液晶表示装置５の表示画面２３に表示する（図２０（ａ）、図２１（ａ）参照）。この処理が終了すると、演出内容決定処理を終了する。
【０１９１】
これにより、決定された当籤役を報知することで、一般遊技状態の遊技回数と、取りこぼし遊技の累積回数に基づいて、天井リプレイタイムを作動することができるので、一般遊技状態中に、報知された小役を停止操作により取りこぼすことにより、取りこぼし遊技の累積回数を記憶し、一般遊技状態中の遊技の累積回数が所定回数を超えた場合に、一般遊技状態中に小役の取りこぼし回数が所定回数を上回ったことを契機にリプレイタイムを作動することができるので、多様なリプレイタイムの作動を行うことにより、遊技者が抱く期待感の向上を図ることが可能な遊技機を提供することができる。
【０１９２】
次に、サブＣＰＵ８１は、リール停止コマンド受信時ではないと判別したときには（ステップＳ３２５：ＮＯ）、表示コマンド受信時であるか否かを判別する（ステップＳ３２７）。サブＣＰＵ８１は、表示コマンド受信時であると判別したときには（ステップＳ３２７：ＹＥＳ）、登録されている演出番号に基づいて、表示時の演出データを登録する（ステップＳ３２８）。表示コマンドには、各遊技状態の遊技回数を示す遊技回数カウント表示画像（図２０、図２１参照）を表示するためのコマンドが含まれる。
【０１９３】
次に、サブＣＰＵ８１は、取りこぼし遊技回数コマンド受信時であるか否かを判別する（ステップＳ３２９）。サブＣＰＵ８１は、取りこぼし遊技回数コマンド受信時であると判別したときには（ステップＳ３２９：ＹＥＳ）、取りこぼし遊技累積数を表示する（ステップＳ３３０）。具体的には、サブＣＰＵ８１は、リール３Ｌ、３Ｃ、３Ｒに決定された内部当籤役に係る図柄以外の図柄が停止表示されたことによる取りこぼし遊技回数コマンドに基づいて、液晶表示装置５の表示画面２３に一般遊技状態中に小役を取りこぼした取りこぼし遊技累積数を表示する（図２０（ａ）、図２１(ａ)参照）。サブＣＰＵ８１は、この処理を終了したときには、演出内容決定処理を終了する。
【０１９４】
次に、サブＣＰＵ８１は、表示コマンド受信時ではないと判別したときには（ステップＳ３２７：ＮＯ）、ボーナス開始コマンド受信時であるか否かを判別する（ステップＳ３３１）。サブＣＰＵ８１は、ボーナス開始コマンド受信時であると判別したときには（ステップＳ３３１：ＹＥＳ）、ボーナス開始用の演出データを登録する（ステップＳ３３２）。例えば、リプレイタイム（ＲＴ１）又は天井リプレイタイム（ＲＴ２）のコマンドを受信した場合には、リプレイタイム用の演出データが登録され、液晶表示装置５に表示されることとなる（図２２参照）。この処理が終了すると、演出内容決定処理を終了する。
【０１９５】
次に、サブＣＰＵ８１は、ボーナス開始コマンド受信時ではないと判別したときには（ステップＳ３３１：ＮＯ）、ボーナス終了コマンド受信時であるか否かを判別する（ステップＳ３３３）。サブＣＰＵ８１は、ボーナス終了コマンド受信時ではないと判別したときには（ステップＳ３３３：ＮＯ）、演出内容決定処理を終了する一方で、ボーナス終了コマンド受信時であると判別したときには（ステップＳ３３３：ＹＥＳ）、ボーナス終了用の演出データを登録する（ステップＳ３３４）。この処理が終了すると、演出内容決定処理を終了する。
【０１９６】
次に、図３５を参照して、サブＣＰＵ８１により実行されるアシスト画像決定処理のフローチャートについて説明する。はじめに、サブＣＰＵ８１は、ＲＴ２フラグがオンであるか否かを判別する（ステップＳ３５１）。具体的には、サブＣＰＵ８１は、一般遊技状態中に、遊技者が、リール３Ｌ、３Ｃ、３Ｒに決定された内部当籤役に係る図柄が停止表示されないように停止操作を行い、決定された内部当籤に係る図柄以外が停止表示されることにより取りこぼした遊技の累積回数が所定回数を上回った場合に、ボーナスゲーム後のチャンスゾーンの遊技回数がボーナスを獲得することなく所定回数以上で、「リプレイ」が停止表示され、ＲＴ２開始コマンドを受信したか否かを判別する。サブＣＰＵ８１は、ＲＴ２フラグがオンであると判別したときには（ステップ３５１：ＹＥＳ）、内部当籤役が決定されたか否かを判別する。具体的には、サブＣＰＵ８１は、図２４のステップＳ５において内部当籤役が決定され、コマンドを受信したか否かを判別する。
【０１９７】
次に、サブＣＰＵ８１は、識別情報を取得する（ステップＳ３５３）。具体的には、サブＣＰＵ８１は、ステップＳ３５２において受信したコマンドに基づいてアシスト画像選択テーブル（図１８参照）からコマンドに対応する識別情報を取得する。
【０１９８】
次に、サブＣＰＵ８１は、アシスト画像を登録する（ステップＳ３５４）。具体的には、サブＣＰＵ８１は、具体的には、サブＣＰＵ８１は、ステップＳ３５４において決定された識別情報に基づいてアシスト画像を登録し、液晶表示装置５へ表示する（図２３参照）。サブＣＰＵ８１は、ＲＴフラグがオンではないと判別したとき（ステップＳ３５１：ＮＯ）、内部当籤役が決定されていないと判別したとき（ステップＳ３５２：ＮＯ）、ステップＳ３５４の処理を終了したときには、アシスト画像決定処理を終了する。
【０１９９】
これにより、一般遊技状態の遊技回数と、取りこぼし遊技の累積回数に基づいて、天井リプレイタイム（ＲＴ２）を作動することができるので、一般遊技状態中に小役を取りこぼすことにより、取りこぼし遊技の累積回数を記憶し、一般遊技状態の遊技の累積回数が所定回数を超えた場合に、小役の取りこぼし回数が所定回数を上回ったことを契機に天井リプレイタイム（ＲＴ２）を作動することができるので、多様なリプレイタイムの作動を行うことにより、遊技者が抱く期待感の向上を図ることが可能な遊技機を提供することができる。
【０２００】
また、一般遊技状態中に目押しに失敗して小役を取りこぼした場合でも、小役の取りこぼし回数が所定回数を上回ったことを契機に天井リプレイタイムを作動することができるので、目押しの苦手な遊技者でも安心して遊技に集中することができる。
【０２０１】
本発明の実施形態では、天井リプレイタイム（ＲＴ２）中において、内部当籤役が決定した場合に、内部当籤した当籤役を遊技者に報知するアシスト画像は、液晶表示装置５へ表示する演出画像データである場合について説明したが、これに限定されず、スピーカ２１Ｌ、２１Ｒ及びＬＥＤ２９による演出を含むこととしてもよい。
【０２０２】
本発明の実施形態では、「チェリー」又は「スイカ」の小役が内部当籤役として決定された場合に、取りこぼし遊技の累積回数を記憶する場合について説明したが、これに限定されず、小役、リプレイが内部当籤役として決定された場合に、取りこぼし遊技の累積回数を記憶するように構成してもよい。
【０２０３】
本発明の実施形態では、「チェリー」又は「スイカ」の小役が内部当籤役として決定された場合に、遊技者の停止操作により、決定された当籤役に係る図柄以外の図柄を停止表示した場合に、取りこぼし遊技の累積回数を記憶する場合について説明したが、これに限定されず、例えば、ストップボタン７Ｌ、７Ｃ、７Ｒを左から順押しした場合には、当籤役に係る図柄を停止表示し、左から順押し以外の場合には、当籤役に係る図柄以外の図柄を停止表示させるように構成してもよい。
【０２０４】
本発明の実施形態では、遊技の履歴情報は、一般遊技状態の遊技回数がボーナスを獲得することなく、所定回数以上で、ボーナスゲーム後のチャンスゾーン中に「リプレイ」が停止表示され、遊技状態が天井リプレイタイム（ＲＴ２）へ移行する場合について説明したが、これに限定されず、一般遊技状態の遊技回数が所定回数以上となったことを契機に天井リプレイタイムに移行するように構成してもよい。また、遊技者の投入した遊技価値と獲得した遊技価値の差数の累積が所定量を上回ったことを契機に天井リプレイタイムに移行するように構成してもよい。
【０２０５】
本発明の実施形態では、ＲＴ２作動中用内部抽籤テーブルは、再遊技に係る「リプレイ」の数値範囲が、ＲＴ１作動中用内部抽籤テーブルより広く規定されている場合について説明したが、これに限定されず、一般遊技状態用内部抽籤テーブル及びＲＴ１作動中用内部抽籤テーブルよりボーナスの抽籤値が広く規定するように構成してもよい。
【０２０６】
以上、本発明の実施形態を説明したが、具体例を示したに過ぎず、特に本発明を限定するものではなく、各手段等の具体的構成は、適宜設計変更が可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【０２０７】
【図１】本発明の実施形態に係るパチスロの機能フローを示す図である。
【図２】本発明の実施形態に係るパチスロの外部構造を示す図である。
【図３】本発明の実施形態に係るパチスロの内部構造を示す図である。
【図４】本発明の実施形態に係る主制御回路の構成を示すブロック図である。
【図５】本発明の実施形態に係る副制御回路の構成を示すブロック図である。
【図６】本発明の実施形態に係る図柄配置テーブルを示す図である。
【図７】本発明の実施形態に係る図柄組合せテーブルを示す図である。
【図８】本発明の実施形態に係るボーナス作動時テーブルを示す図である。
【図９】本発明の実施形態に係る一般遊技状態用内部抽籤テーブルを示す図である。
【図１０】本発明の実施形態に係るＲＴ１作動中用内部抽籤テーブルを示す図である。
【図１１】本発明の実施形態に係るＲＴ２作動中用内部抽籤テーブルを示す図である。
【図１２】本発明の実施形態に係るＲＢ作動中用内部抽籤テーブルを示す図である。
【図１３】本発明の実施形態に係る小役・リプレイ用内部当籤役決定テーブルを示す図である。
【図１４】本発明の実施形態に係るボーナス用内部当籤役決定テーブルを示す図である。
【図１５】本発明の実施形態に係る内部当籤役格納領域を示す図である。
【図１６】本発明の実施形態に係る持越役格納領域を示す図である。
【図１７】本発明の実施形態に係る作業中フラグ格納領域を示す図である。
【図１８】本発明の実施形態に係る演出画像データテーブルの例を示す図である。
【図１９】本発明の実施形態に係るアシスト画像選択テーブルの例を示す図である。
【図２０】本発明の実施形態に係る液晶表示装置における表示例を示す図である。
【図２１】本発明の実施形態に係る液晶表示装置における表示例を示す図である。
【図２２】本発明の実施形態に係る液晶表示装置における表示例を示す図である。
【図２３】本発明の実施形態に係る液晶表示装置における表示例を示す図である。
【図２４】本発明の実施形態に係るメインＣＰＵの制御によるメインフローチャートを示す図である。
【図２５】本発明の実施形態に係るメダル受付・スタートチェック処理のフローチャートを示す図である。
【図２６】本発明の実施形態に係る内部抽籤処理のフローチャートを示す図である。
【図２７】本発明の実施形態に係る内部抽籤テーブル変更処理のフローチャートを示す図である。
【図２８】本発明の実施形態に係るリール停止制御処理のフローチャートを示す図である。
【図２９】本発明の実施形態に係るボーナス作動チェック処理のフローチャートを示す図である。
【図３０】本発明の実施形態に係るボーナス終了チェック処理のフローチャートを示す図である。
【図３１】本発明の実施形態に係るメインＣＰＵの制御による割込処理（１．１１７３ｍｓｅｃ）のフローチャートを示す図である。
【図３２】本発明の実施形態に係るサブＣＰＵにより行われる主基板通信タスクのフローチャートを示す図である。
【図３３】本発明の実施形態に係るサブＣＰＵにより行われる演出登録タスクのフローチャートを示す図である。
【図３４】本発明の実施形態に係るサブＣＰＵにより実行される演出内容決定処理のフローチャートを示す図である。
【図３５】本発明の実施形態に係るサブＣＰＵにより実行されるアシスト画像決定処理のフローチャートを示す図である。
【符号の説明】
【０２０８】
１    パチスロ
３Ｌ、３Ｃ、３Ｒ    リール
６    スタートレバー
７Ｌ、７Ｃ、７Ｒ    ストップボタン
３１    メインＣＰＵ
３２    メインＲＯＭ
３３    メインＲＡＭ
４９Ｌ、４９Ｃ、４９Ｒ    ステッピングモータ
７１    主制御回路
７２    副制御回路
８１    サブＣＰＵ
８２    サブＲＯＭ
８３    サブＲＡＭ
【図１】
2009285066.tif 000003
【図２】
2009285066.tif 000004
【図３】
2009285066.tif 000005
【図４】
2009285066.tif 000006
【図５】
2009285066.tif 000007
【図６】
2009285066.tif 000008
【図７】
2009285066.tif 000009
【図８】
2009285066.tif 000010
【図９】
2009285066.tif 000011
【図１０】
2009285066.tif 000012
【図１１】
2009285066.tif 000013
【図１２】
2009285066.tif 000014
【図１３】
2009285066.tif 000015
【図１４】
2009285066.tif 000016
【図１５】
2009285066.tif 000017
【図１６】
2009285066.tif 000018
【図１７】
2009285066.tif 000019
【図１８】
2009285066.tif 000020
【図１９】
2009285066.tif 000021
【図２０】
2009285066.tif 000022
【図２１】
2009285066.tif 000023
【図２２】
2009285066.tif 000024
【図２３】
2009285066.tif 000025
【図２４】
2009285066.tif 000026
【図２５】
2009285066.tif 000027
【図２６】
2009285066.tif 000028
【図２７】
2009285066.tif 000029
【図２８】
2009285066.tif 000030
【図２９】
2009285066.tif 000031
【図３０】
2009285066.tif 000032
【図３１】
2009285066.tif 000033
【図３２】
2009285066.tif 000034
【図３３】
2009285066.tif 000035
【図３４】
2009285066.tif 000036
【図３５】
2009285066.tif 000037